(57)【特許請求の範囲】
【請求項１】
下記一般式（４）で表されるアゾ顔料、その塩、水和物及びそれらの互変異性体。
一般式（４）：
【化１０１】
0005205103.tif 000040
（一般式（４）中、Ｈｅｔ．１は、下記一般式（６）で表される芳香族へテロ環基を表す。下記一般式（６）における＊は、一般式（４）中のアゾ基との結合部位を表す。ｎ＝１である。Ｗ１１、Ｗ１２、Ｗ１３、Ｒ２、Ｒ３は、それぞれ独立に水素原子、水酸基、シアノ基、置換または無置換のカルバモイル基、置換または無置換のアミノ基、置換または無置換のアルコキシ基、置換または無置換のアリールオキシ基、置換または無置換のアルキルチオ基、置換または無置換のアリールチオ基、カルボニル基（−ＣＯ−）から選択される置換基を表す。Ｒ１は置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基から選択される置換基を表す。）
一般式（６）：
【化１０２】
0005205103.tif 000041
（一般式（６）中、Ｙは、水素原子、置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基から選択される置換基を表す。Ｘは、ハメットのσｐ値が０．２以上の電子求引性基を表し、炭素数２〜１２のアシル基、炭素数２〜１２のアシルオキシ基、炭素数１〜１２のカルバモイル基、炭素数２〜１２のアルキルオキシカルボニル基、炭素数７〜１８のアリールオキシカルボニル基、シアノ基、ニトロ基、炭素数１〜１２のアルキルスルフィニル基、炭素数６〜１８のアリールスルフィニル基、炭素数１〜１２のアルキルスルホニル基、炭素数６〜１８のアリールスルホニル基、炭素数０〜１２のスルファモイル基、炭素数１〜１２のハロゲン化アルキル基、炭素数１〜１２のハロゲン化アルキルオキシ基、炭素数１〜１２のハロゲン化アルキルチオ基、炭素数７〜１８のハロゲン化アリールオキシ基、２つ以上のσｐ０．２０以上の他の電子求引性基で置換された炭素数７〜１８のアリール基、及び窒素原子、酸素原子、またはイオウ原子を有する５〜８員環で炭素数１〜１８のヘテロ環基から選択される置換基を表す。Ｇ’は、５〜６員の含窒素ヘテロ環を構成する事ができる非金属原子群を表し、−ＮＨＣＯ−、−ＮＨＣＯＮＨ−、−ＣＯＮＨ２、−ＮＨＣＯ−ＣＯ−ＮＨ−、−ＣＯ−ＮＨ−ＣＯ−を含有するヘテロ環から選択される。ヘテロ環は無置換であっても、置換基を有していてもよい。また、それぞれのヘテロ環は単環であっても縮環していてもよい。＊はアゾ基との結合部位を表す。）
【請求項２】
請求項１に記載のアゾ顔料、その塩、水和物及びそれらの互変異性体を少なくとも１種含むことを特徴とする顔料分散物。
【請求項３】
請求項１に記載のアゾ顔料、その塩、水和物及びそれらの互変異性体を少なくとも１種含むことを特徴とする着色組成物。
【請求項４】
請求項１に記載のアゾ顔料、その塩、水和物及びそれらの互変異性体を少なくとも１種含むことを特徴とするインクジェット記録用インク。
【発明の詳細な説明】
【技術分野】
【０００１】
本発明は、アゾ顔料、該アゾ顔料を含む顔料分散物着色組成物及びインクジェット記録用インクに関する。
【背景技術】
【０００２】
近年、画像記録材料としては、特にカラー画像を形成するための材料が主流であり、具体的には、インクジェット方式の記録材料、感熱転写方式の記録材料、電子写真方式の記録材料、転写式ハロゲン化銀感光材料、印刷インキ、記録ペン等が盛んに利用されている。また、撮影機器ではＣＣＤなどの撮像素子において、ディスプレーではＬＣＤやＰＤＰにおいてカラー画像を記録・再現するためにカラーフィルターが使用されている。これらのカラー画像記録材料やカラーフィルターでは、フルカラー画像を表示あるいは記録する為に、いわゆる加法混色法や減法混色法の３原色の色素（染料や顔料）が使用されているが、好ましい色再現域を実現できる吸収特性を有し、且つさまざまな使用条件、環境条件に耐えうる堅牢な色素がないのが実情であり、改善が強く望まれている。
【０００３】
上記の各用途で使用する染料や顔料には、共通して次のような性質を具備している必要がある。即ち、色再現性上好ましい吸収特性を有すること、使用される環境条件下における堅牢性、例えば耐光性、耐熱性、オゾンなどの酸化性ガスに対する耐性が良好であること、等が挙げられる。  加えて、色素を顔料として使用する場合には、さらに水や有機溶剤に実質的に不溶であり耐薬品堅牢性が良好であること、及び、粒子として使用しても分子分散状態における好ましい吸収特性を損なわないこと、等の性質をも具備している必要がある。
上記要求特性は分子間相互作用の強弱でコントロールすることができるが、両者はトレードオフの関係となるため両立させるのが困難である。
【０００４】
また、色素を顔料として使用する場合には、他にも、所望の透明性または隠蔽性を発現させるために必要な粒子径および粒子形を有すること、使用される環境条件下における堅牢性、例えば耐光性、耐熱性、オゾンなどの酸化性ガスに対する耐性、その他有機溶剤や亜硫酸ガスなどへの耐薬品堅牢性が良好であること、使用される媒体中において微小粒子まで分散し、かつ、その分散状態が安定であること、等の性質も必要となる。これらの性質は化学構造のみならず、粒子径や粒子形、および結晶性に大きく影響されるため、これらの制御は非常に重要である（例えば特許文献１参照）。特に、良好なイエロー色相を有し、光、湿熱及び環境中の活性ガス、中でも着色力が高く、光に対して堅牢な顔料が強く望まれている。
【０００５】
すなわち、顔料に対する要求性能は色素分子としての性能を要求される染料に比べて、多岐にわたり、色素分子としての性能だけでなく、色素分子の集合体としての固体（微粒子分散物）としての上記要求性能を全て満足する必要がある。結果として、顔料として使用できる化合物群は染料に比べて極めて限定されたものとなっており、高性能な染料を顔料に誘導したとしても微粒子分散物としての要求性能を満足できるものは数少なく、容易に開発できるものではない。これは、カラーインデックスに登録されている顔料の数が染料の数の１／１０にも満たないことからも確認される。
【０００６】
アゾ顔料は色彩的特性である色相および着色力に優れているため、印刷インキ、インクジェット用インク、電子写真材料などに広く使用されている。これらのうち、最も典型的に使用されている黄色のアゾ顔料は、ジアリーリド顔料である。ジアリーリド顔料としては例えば、Ｃ．Ｉ．ピグメント・イエロー１２、同１３、同１７などが挙げられる。しかし、ジアリーリド顔料は堅牢性、とりわけ耐光性が非常に劣るため、印字物が光に曝されることによって顔料が分解して退色してしまい、印字物の長期間の保存に適さない。
【０００７】
このような欠点を改良するために、分子量を大きくしたり、強い分子間相互作用を持つ基を導入したりすることによって、堅牢性を改善したアゾ顔料も開示されている（例えば特許文献２〜４参照）。しかしながら、改良された顔料においても、例えば特許文献２に記載の顔料はその耐光性が改善されてはいるが未だ不十分であり、また、例えば特許文献３および４に記載の顔料は色相が緑味で着色力が低くなり、色彩的特性に劣るといった欠点があった。
【０００８】
また、特許文献５には色再現性に優れた吸収特性と十分な堅牢性を有する色素が開示されている。しかしながら、該特許文献に記載されている具体的化合物は、どれも水または有機溶剤に溶解するため、耐薬品堅牢性が十分でない。
【０００９】
イエロー、マゼンタ、シアンの３色、またはさらにブラックを加えた４色による減色混合法を用いてフルカラーを表現する場合、イエロー用の顔料として堅牢性の劣る顔料を用いると、時間の経過とともに印字物のグレーバランスが変化してしまい、また、色彩的特性に劣る顔料を用いると、印刷時の色再現性が低下してしまう。したがって、高い色再現性を長期間維持する印字物を得るために、色彩的特性及び堅牢性の両立した黄色顔料及び顔料分散物が望まれている。
【００１０】
【特許文献１】特開２００４−２６９３０号公報
【特許文献２】特開昭５６−３８３５４号公報
【特許文献３】米国特許２９３６３０６号明細書
【特許文献４】特開平１１−１００５１９号公報
【特許文献５】特開２００３−２７７６６２号公報
【発明の開示】
【発明が解決しようとする課題】
【００１１】
本発明は、着色力、色相等の色彩的特性に優れ、かつ耐光性、耐オゾン性等の耐久性にも優れるアゾ顔料、該アゾ顔料を含む顔料分散物、着色組成物及びインクジェット記録用インクを提供することを目的とする。
【課題を解決するための手段】
【００１２】
本発明者等は上記した実情に鑑みて鋭意検討した結果、新規なアゾ顔料を得、これが色彩的特性と耐久性が両立して優れるものであることを見出し、更に特定の色素構造のアゾ顔料が顔料として使用した場合に顔料としての要求性能を高いレベルで満足することを見出し、本発明を完成した。
【００１３】
＜１＞
下記一般式（４）で表されるアゾ顔料、その塩、水和物及びそれらの互変異性体。
一般式（４）：
【化１０３】
0005205103.tif 000002
（一般式（４）中、Ｈｅｔ．１は、下記一般式（６）で表される芳香族へテロ環基を表す。下記一般式（６）における＊は、一般式（４）中のアゾ基との結合部位を表す。ｎ＝１である。Ｗ１１、Ｗ１２、Ｗ１３、Ｒ２、Ｒ３は、それぞれ独立に水素原子、水酸基、シアノ基、置換または無置換のカルバモイル基、置換または無置換のアミノ基、置換または無置換のアルコキシ基、置換または無置換のアリールオキシ基、置換または無置換のアルキルチオ基、置換または無置換のアリールチオ基、カルボニル基（−ＣＯ−）から選択される置換基を表す。Ｒ１は置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基から選択される置換基を表す。）
一般式（６）：
【化１０４】
0005205103.tif 000003
（一般式（６）中、Ｙは、水素原子、置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基から選択される置換基を表す。Ｘは、ハメットのσｐ値が０．２以上の電子求引性基を表し、炭素数２〜１２のアシル基、炭素数２〜１２のアシルオキシ基、炭素数１〜１２のカルバモイル基、炭素数２〜１２のアルキルオキシカルボニル基、炭素数７〜１８のアリールオキシカルボニル基、シアノ基、ニトロ基、炭素数１〜１２のアルキルスルフイニル基、炭素数６〜１８のアリールスルフイニル基、炭素数１〜１２のアルキルスルホニル基、炭素数６〜１８のアリールスルホニル基、炭素数０〜１２のスルファモイル基、炭素数１〜１２のハロゲン化アルキル基、炭素数１〜１２のハロゲン化アルキルオキシ基、炭素数１〜１２のハロゲン化アルキルチオ基、炭素数７〜１８のハロゲン化アリールオキシ基、２つ以上のσｐ０．２０以上の他の電子求引性基で置換された炭素数７〜１８のアリール基、及び窒素原子、酸素原子、またはイオウ原子を有する５〜８員環で炭素数１〜１８のヘテロ環基から選択される置換基を表す。Ｇ’は、５〜６員の含窒素ヘテロ環を構成する事ができる非金属原子群を表し、−ＮＨＣＯ−、−ＮＨＣＯＮＨ−、−ＣＯＮＨ２、−ＮＨＣＯ−ＣＯ−ＮＨ−、−ＣＯ−ＮＨ−ＣＯ−を含有するヘテロ環から選択される。。ヘテロ環は無置換であっても、置換基を有していてもよい。また、それぞれのヘテロ環は単環であっても縮環していてもよい。＊はアゾ基との結合部位を表す。）
＜２＞
＜１＞に記載のアゾ顔料、その塩、水和物及びそれらの互変異性体を少なくとも１種含むことを特徴とする顔料分散物。
＜３＞
＜１＞に記載のアゾ顔料、その塩、水和物及びそれらの互変異性体を少なくとも１種含むことを特徴とする着色組成物。
＜４＞
＜１＞に記載のアゾ顔料、その塩、水和物及びそれらの互変異性体を少なくとも１種含むことを特徴とするインクジェット記録用インク。
本発明は上記＜１＞〜＜４＞にかかるものであるが、その他の事項についても参考のため記載した。
〔１〕
下記一般式（１）で表されるアゾ顔料、その塩、水和物及びそれらの互変異性体。
一般式（１）：
【００１４】
【化１】
0005205103.tif 000004
【００１５】
（一般式（１）中、Ｒ１、Ｐ１、Ｑ１はそれぞれ独立に水素原子または置換基を表す。Ｇは５〜６員ヘテロ環が縮環している芳香族炭化水素環を構成する事ができる原子団を表す。Ｗは、Ｇが構成するヘテロ環が縮環している芳香族炭化水素環上に結合可能な置換基を表す。ｔは０〜５の整数を表す。Ｈｅｔ．１は、下記一般式（２）で表される芳香族へテロ環基群から選ばれる基を表す。＊は、一般式（１）中のアゾ基との結合部位を表す。ｎは１〜３の整数を表す。ｎ＝２の場合は、Ｒ1、Ｐ１、Ｑ１、Ｗ、Ｇ又はＨｅｔ．１を介した２量体を表す。ｎ＝３の場合はＲ1、Ｐ１、Ｑ１、Ｗ、Ｇ又はＨｅｔ．１を介した３量体を表す。）
一般式（２）：
【００１６】
【化２】
0005205103.tif 000005
【００１７】
（一般式（２）中、Ｘ、Ｙ、Ｚ、Ｗ０、Ｗ１、Ｗ２、Ｗ３、Ｗ４はそれぞれ独立に水素原子または置換基を表す。）
〔２〕
前記一般式（１）で表されるアゾ顔料が、下記一般式（３）で表されるアゾ顔料であることを特徴とする〔１〕に記載のアゾ顔料、その塩、水和物及びそれらの互変異性体。
一般式（３）：
【００１８】
【化３】
0005205103.tif 000006
【００１９】
（一般式（３）中、Ｗ１１、Ｗ１２、Ｗ１３、Ｒ１、はそれぞれ独立に水素原子または置換基を表す。Ｇ’は芳香族炭化水素環に縮環可能な５〜６員ヘテロ環を構成する事ができる非金属原子団を表す。Ｗは、Ｇ’が構成するヘテロ環上に結合可能な置換基を表す。ｔは０〜４の整数を表す。Ｈｅｔ．１は、〔１〕に記載の一般式（２）で表される芳香族へテロ環基群から選ばれる基を表す。前記一般式（２）における＊は、一般式（３）中のアゾ基との結合部位を表す。ｎは１〜３の整数を表す。ｎ＝２の場合は、Ｒ1、Ｗ、Ｗ１１、Ｗ１２、Ｗ１３、Ｇ’又はＨｅｔ．１を介した２量体を表す。ｎ＝３の場合はＲ1、Ｗ、Ｗ１１、Ｗ１２、Ｗ１３、Ｇ’又はＨｅｔ．１を介した３量体を表す。）
〔３〕
前記一般式（１）または一般式（３）で表されるアゾ顔料が、下記一般式（４）で表されるアゾ顔料であることを特徴とする〔１〕または〔２〕に記載のアゾ顔料、その塩、水和物及びそれらの互変異性体。
一般式（４）：
【００２０】
【化４】
0005205103.tif 000007
【００２１】
（一般式（４）中、Ｗ１１、Ｗ１２、Ｗ１３、Ｒ１、Ｒ２及びＲ３はそれぞれ独立に水素原子または置換基を表す。Ｈｅｔ．１は、〔１〕に記載の一般式（２）で表される芳香族へテロ環基群から選ばれる基を表す。前記一般式（２）における＊は、一般式（４）中のアゾ基との結合部位を表す。ｎは１〜３の整数を表す。ｎ＝２の場合は、Ｒ1、Ｒ２、Ｒ３、Ｗ、Ｗ１１、Ｗ１２、Ｗ１３又はＨｅｔ．１を介した２量体を表す。ｎ＝３の場合はＲ1、Ｒ２、Ｒ３、Ｗ、Ｗ１１、Ｗ１２、Ｗ１３又はＨｅｔ．１を介した３量体を表す。）
〔４〕
前記一般式（１）または一般式（３）で表されるアゾ顔料が、下記一般式（５）で表されるアゾ顔料であることを特徴とする〔１〕または〔２〕に記載のアゾ顔料、その塩、水和物及びそれらの互変異性体。
一般式（５）：
【００２２】
【化５】
0005205103.tif 000008
【００２３】
（一般式（５）中、Ｗ１１、Ｗ１２、Ｗ１３、Ｒ１、Ｒ２及びＲ３はそれぞれ独立に水素原子または置換基を表す。Ｈｅｔ．１は、〔１〕に記載の一般式（２）で表される芳香族へテロ環基群から選ばれる基を表す。前記一般式（２）における＊は、一般式（５）中のアゾ基との結合部位を表す。ｎは１〜３の整数を表す。ｎ＝２の場合は、Ｒ1、Ｒ２、Ｒ３、Ｗ１１、Ｗ１２、Ｗ１３又はＨｅｔ．１を介した２量体を表す。ｎ＝３の場合はＲ1、Ｒ２、Ｒ３、Ｗ、Ｗ１１、Ｗ１２、Ｗ１３又はＨｅｔ．１を介した３量体を表す。）
〔５〕
一般式（１）、（３）、（４）または一般式（５）で表されるアゾ顔料においてＨｅｔ．１で表される芳香族へテロ環基が、下記一般式（６）で表される芳香族へテロ環基を表すことを特徴とする〔１〕〜〔４〕のいずれかに記載のアゾ顔料その塩、水和物及びそれらの互変異性体。
一般式（６）：
【００２４】
【化６】
0005205103.tif 000009
【００２５】
（一般式（６）中、Ｙは水素原子または置換基を表す。Ｘはハメットのσｐ値が０．２以上の電子求引性基を表す。Ｇ’は、５〜６員の含窒素ヘテロ環を構成する事ができる非金属原子群を表し、ヘテロ環は無置換であっても、置換基を有していてもよい。また、それぞれのヘテロ環は単環であっても縮環していてもよい。＊はアゾ基との結合部位を表す。）
〔６〕
〔１〕〜〔５〕のいずれかに記載のアゾ顔料、その塩、水和物及びそれらの互変異性体を少なくとも１種含むことを特徴とする顔料分散物。
〔７〕
〔１〕〜〔５〕のいずれかに記載のアゾ顔料、その塩、水和物及びそれらの互変異性体を少なくとも１種含むことを特徴とする着色組成物。
〔８〕
〔１〕〜〔５〕のいずれかに記載のアゾ顔料、その塩、水和物及びそれらの互変異性体を少なくとも１種含むことを特徴とするインクジェット記録用インク。
【発明の効果】
【００２６】
本発明によれば、着色力、色相等の色彩的特性に優れ、かつ耐光性、耐オゾン性等の耐久性にも優れるアゾ顔料が提供される。本発明のアゾ顔料を種々の媒体に分散させることにより、色彩的特性、耐久性および分散安定性に優れる顔料分散体が提供される。また本発明によれば、該アゾ顔料を含む、着色力、色相等の色彩的特性に優れ、かつ耐光性、耐オゾン性等の耐久性にも優れる着色組成物が提供される。特にアゾ顔料分散体は、例えば、インクジェットなどの印刷用のインク、電子写真用のカラートナー、ＬＣＤ、ＰＤＰなどのディスプレーやＣＣＤなどの撮像素子で用いられるカラーフィルター、塗料、着色プラスチック等に使用することができる。
【発明を実施するための最良の形態】
【００２７】
以下、本発明について詳細に説明する。
ここで、本明細書中で用いられるハメットの置換基定数σｐ値について若干説明する。
ハメット則はベンゼン誘導体の反応または平衡に及ぼす置換基の影響を定量的に論ずるために１９３５年  Ｌ．Ｐ．Ｈａｍｍｅｔｔにより提唱された経験則であるが、これは今日広く妥当性が認められている。ハメット則に求められた置換基定数にはσｐ値とσｍ値があり、これらの値は多くの一般的な成書に見出すことができるが、例えば、Ｊ．Ａ．Ｄｅａｎ編、「Ｌａｎｇｅ’ｓ  Ｈａｎｄｂｏｏｋ  ｏｆ  Ｃｈｅｍｉｓｔｒｙ」第１２版、１９７９年（Ｍｃ  Ｇｒａｗ−Ｈｉｌｌ）や「化学の領域」増刊、１２２号、９６〜１０３頁、１９７９年（南光堂）に詳しい。なお、本発明において各置換基をハメットの置換基定数σｐにより限定したり、説明したりするが、これは上記の成書で見出せる、文献既知の値がある置換基にのみ限定されるという意味ではなく、その値が文献未知であってもハメット則に基づいて測定した場合にその範囲内に包まれるであろう置換基をも含むことはいうまでもない。本発明の一般式（１）〜（８）で表される化合物はベンゼン誘導体ではないが、置換基の電子効果を示す尺度として、置換位置に関係なくσｐ値を使用する。本発明においては今後、σｐ値をこのような意味で使用する。
【００２８】
〔アゾ顔料〕
本発明におけるアゾ顔料は前記一般式（１）で表される。
【００２９】
以下、一般式（１）で表されるアゾ顔料、その塩、水和物及びそれらの互変異性体について詳細に説明する。
一般式（１）：
【００３０】
【化７】
0005205103.tif 000010
【００３１】
（一般式（１）中、Ｒ１、Ｐ１、Ｑ１はそれぞれ独立に水素原子または置換基を表す。Ｇは５〜６員ヘテロ環が縮環している芳香族炭化水素環を構成する事ができる原子団を表す。Ｗは、Ｇが構成するヘテロ環が縮環している芳香族炭化水素環上に結合可能な置換基を表す。ｔは０〜５の整数を表す。Ｈｅｔ．１は、下記一般式（２）で表される芳香族へテロ環基群から選ばれる基を表す。＊は、一般式（１）中のアゾ基との結合部位を表す。ｎは１〜３の整数を表す。ｎ＝２の場合は、Ｒ1、Ｐ１、Ｑ１、Ｗ、Ｇ又はＨｅｔ．１を介した２量体を表す。ｎ＝３の場合はＲ1、Ｐ１、Ｑ１、Ｗ、Ｇ又はＨｅｔ．１を介した３量体を表す。）
一般式（２）：
【００３２】
【化８】
0005205103.tif 000011
【００３３】
（一般式（２）中、Ｘ、Ｙ、Ｚ、Ｗ０、Ｗ１、Ｗ２、Ｗ３、Ｗ４はそれぞれ独立に水素原子または置換基を表す。）
【００３４】
以下に、前記一般式（１）について更に詳しく説明する。
【００３５】
一般式（１）中、Ｒ１、Ｐ１、Ｑ１はそれぞれ独立に水素原子または置換基を表す。
【００３６】
ｎは１〜３の整数を表す。ｎ＝２の場合は、Ｒ1、Ｐ１、Ｑ１、Ｗ、Ｇ又はＨｅｔ．１を介した２量体を表す。ｎ＝３の場合はＲ1、Ｐ１、Ｑ１、Ｗ、Ｇ又はＨｅｔ．１を介した３量体を表す。ｎが１の時は、Ｒ1、Ｐ１、Ｑ１、Ｗ、Ｗ０、Ｘ、Ｙ、Ｚ、Ｇは一価の基を表すことが好ましい。ｎが２の時は、Ｒ1、Ｐ１、Ｑ１、Ｗ、Ｗ０、Ｘ、Ｙ、Ｚ、Ｇは一価または２価の置換基を表し、少なくとも１つは２価の置換基を表すことが好ましい。ｎが３の時は、Ｒ1、Ｐ１、Ｑ１、Ｗ、Ｗ０、Ｘ、Ｙ、Ｚ、Ｇは一価、２価または３価の置換基を表し、少なくとも二つが２価の置換基を表すかまたは少なくとも１つが３価の置換基を表すことが好ましい。
【００３７】
ｎで表される１〜３の整数は、ｎ＝１〜２の整数が好ましく、特にｎ＝１が最も好ましい。
【００３８】
Ｇは５〜６員ヘテロ環が縮環している芳香族炭化水素環を構成する事ができる原子団を表す。
【００３９】
Ｗは、Ｇが構成するヘテロ環が縮環している芳香族炭化水素環上に結合可能な置換基を表す。
【００４０】
一般式（１）中の、好ましいＧは、５〜６員ヘテロ環としては芳香族炭化水素環に縮環可能なものであれば特に限定されるものでない。その中でも、−ＮＨＣＯ−、−ＮＨＣＯＮＨ−、−ＣＯＮＨ２、−ＮＨＣＯ−ＣＯ−ＮＨ−、−ＣＯ−ＮＨ−ＣＯ−を含有するヘテロ環が縮環した芳香族炭化水素環が好ましく、特に−ＮＨＣＯ−、−ＮＨＣＯＮＨ−、−ＮＨＣＯ−ＣＯ−ＮＨ−を含有するヘテロ環が縮環した芳香族炭化水素環が好ましく、その中でも特に好ましい５〜６員ヘテロ環が縮環している芳香族炭化水素環は、下記一般式（７）及びまたは一般式（８）で表されるものが挙げられる。式中、＊は一般式（１）中のＮ原子との結合部位を表す。
【００４１】
【化９】
0005205103.tif 000012
【００４２】
（一般式（７）、（８）中、Ｗ１１、Ｗ１２、Ｗ１３、Ｒ２及びＲ３はそれぞれ独立に水素原子または置換基を表す。）
【００４３】
前記一般式（７）、（８）中、Ｗ１１、Ｗ１２、Ｗ１３、Ｒ２及びＲ３が置換基を表す場合の置換基の例としては、下記一般式（２）におけるＸ、Ｙ、Ｚ、Ｗ０、Ｗ１、Ｗ２、Ｗ３、Ｗ４で挙げた置換基と同じものを挙げることができる。
【００４４】
ｔはへテロ環基に結合可能な基の数（０〜５の整数）を表し、好ましくは０〜４の整数であり、特に０〜３が好ましい、その中でも０〜２が最も好ましい。
【００４５】
Ｈｅｔ．１は、上記一般式（２）で表される芳香族へテロ環基群（１）〜（１５）から選ばれる基を表す。＊は、一般式（１）中のアゾ基との結合部位を表す。
【００４６】
ヘテロ環基の例としては、（１）、（２）、（３）、（４）、（５）、（６）、（７）、（８）、（９）、（１０）、（１１）が好ましく、更に（２）、（５）、（６）、（７）、（８）、（９）、（１０）が好ましく、特に（２）、（５）、（６）、（７）、（１０）が好ましく、その中でも（２）、（６）、（７）が最も好ましい。
【００４７】
一般式（２）における、Ｘ、Ｙ、Ｚ、Ｗ０、Ｗ１、Ｗ２、Ｗ３、Ｗ４はそれぞれ独立に水素原子または置換基を表す。
【００４８】
前記Ｒ１、Ｐ１、Ｑ１、Ｘ、Ｙ、Ｚ、Ｗ、Ｗ０、Ｗ１、Ｗ２、Ｗ３、Ｗ４で表される基が置換基を表す場合の置換基の例としては、それぞれ独立に炭素数１〜１２の直鎖又は分岐鎖アルキル基、炭素数７〜１８の直鎖又は分岐鎖アラルキル基、炭素数２〜１２の直鎖又は分岐鎖アルケニル基、炭素数２〜１２の直鎖又は分岐鎖アルキニル基、炭素数３〜１２の直鎖又は分岐鎖シクロアルキル基、炭素数３〜１２の直鎖又は分岐鎖シクロアルケニル基（例えばメチル、エチル、n-プロピル、i-プロピル、n-ブチル、i-ブチル、sec-ブチル、ｔ−ブチル、２−エチルヘキシル、２−メチルスルホニルエチル、３−フェノキシプロピル、トリフルオロメチル、シクロペンチル）、ハロゲン原子（例えば、塩素原子、臭素原子）、アリール基（例えば、フェニル、４−ｔ−ブチルフェニル、２，４−ジ−ｔ−アミルフェニル）、ヘテロ環基（例えば、イミダゾリル、ピラゾリル、トリアゾリル、２−フリル、２−チエニル、２−ピリミジニル、２−ベンゾチアゾリル）、シアノ基、ヒドロキシル基、ニトロ基、カルボキシ基、アミノ基、アルキルオキシ基（例えば、メトキシ、エトキシ、２−メトキシエトキシ、２−メチルスルホニルエトキシ）、アリールオキシ基（例えば、フェノキシ、２−メチルフェノキシ、４−ｔ−ブチルフェノキシ、３−ニトロフェノキシ、３−ｔ−ブチルオキシカルボニルフェノキシ、３−メトキシカルボニルフェニルオキシ、アシルアミノ基（例えば、アセトアミド、ベンズアミド、４−（３−ｔ−ブチル−４−ヒドロキシフェノキシ）ブタンアミド）、アルキルアミノ基（例えば、メチルアミノ、ブチルアミノ、ジエチルアミノ、メチルブチルアミノ）、アリールアミノ基（例えば、フェニルアミノ、２−クロロアニリノ）、ウレイド基（例えば、フェニルウレイド、メチルウレイド、Ｎ，Ｎ−ジブチルウレイド）、スルファモイルアミノ基（例えば、Ｎ，Ｎ−ジプロピルスルファモイルアミノ）、アルキルチオ基（例えば、メチルチオ、オクチルチオ、２−フェノキシエチルチオ）、アリールチオ基（例えば、フェニルチオ、２−ブトキシ−５−ｔ−オクチルフェニルチオ、２−カルボキシフェニルチオ）、アルキルオキシカルボニルアミノ基（例えば、メトキシカルボニルアミノ）、アルキルスルホニルアミノ基及びアリールスルホニルアミノ基（例えば、メチルスルホニルアミノ、フェニルスルホニルアミノ、ｐ−トルエンスルホニルアミノ）、カルバモイル基（例えば、Ｎ−エチルカルバモイル、Ｎ，Ｎ−ジブチルカルバモイル）、スルファモイル基（例えば、Ｎ−エチルスルファモイル、Ｎ，Ｎ−ジプロピルスルファモイル、Ｎ−フェニルスルファモイル）、スルホニル基（例えば、メチルスルホニル、オクチルスルホニル、フェニルスルホニル、ｐ−トルエンスルホニル）、アルキルオキシカルボニル基（例えば、メトキシカルボニル、ブチルオキシカルボニル）、ヘテロ環オキシ基（例えば、１−フェニルテトラゾール−５−オキシ、２−テトラヒドロピラニルオキシ）、アゾ基（例えば、フェニルアゾ、４−メトキシフェニルアゾ、４−ピバロイルアミノフェニルアゾ、２−ヒドロキシ−４−プロパノイルフェニルアゾ）、アシルオキシ基（例えば、アセトキシ）、カルバモイルオキシ基（例えば、Ｎ−メチルカルバモイルオキシ、Ｎ−フェニルカルバモイルオキシ）、シリルオキシ基（例えば、トリメチルシリルオキシ、ジブチルメチルシリルオキシ）、アリールオキシカルボニルアミノ基（例えば、フェノキシカルボニルアミノ）、イミド基（例えば、Ｎ−スクシンイミド、Ｎ−フタルイミド）、ヘテロ環チオ基（例えば、２−ベンゾチアゾリルチオ、２，４−ジ−フェノキシ−１，３，５−トリアゾール−６−チオ、２−ピリジルチオ）、スルフィニル基（例えば、３−フェノキシプロピルスルフィニル）、ホスホニル基（例えば、フェノキシホスホニル、オクチルオキシホスホニル、フェニルホスホニル）、アリールオキシカルボニル基（例えば、フェノキシカルボニル）、アシル基（例えば、アセチル、３−フェニルプロパノイル、ベンゾイル）、イオン性親水性基（例えば、カルボキシル基、スルホ基、ホスホノ基及び４級アンモニウム基）が挙げられる。
【００４９】
本発明のアゾ顔料がイオン性親水性基を置換基として含有する場合は、多価金属カチオンとの塩（例えば、マグネシウム、カルシウム、バリウム）であることが好ましく、レーキ顔料であることが特に好ましい。
【００５０】
一般式（２）中、Ｘ及びＷ０の好ましい置換基例は、それぞれ独立に電子求引性基である。特に、ハメットの置換基定数σｐ値が０．２０以上の電子求引性基であり、より好ましくは、σｐ値が０．３０以上の電子求引性基であることが好ましい。上限としては１．０以下の電子求引性基である。
【００５１】
σｐ値が０．２０以上の電子求引性基であるＸの具体例としては、アシル基、アシルオキシ基、カルバモイル基、アルキルオキシカルボニル基、アリールオキシカルボニル基、シアノ基、ニトロ基、ジアルキルホスホノ基、ジアリールホスホノ基、ジアリールホスフィニル基、アルキルスルフィニル基、アリールスルフィニル基、アルキルスルホニル基、アリールスルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、σｐ値が０．２０以上の他の電子求引性基で置換されたアリール基、ヘテロ環基、ハロゲン原子、アゾ基、又はセレノシアネート基が挙げられる。
【００５２】
Ｘ及びＷ０の好ましい例としては、それぞれ独立に炭素数２〜１２のアシル基、炭素数２〜１２のアシルオキシ基、炭素数１〜１２のカルバモイル基、炭素数２〜１２のアルキルオキシカルボニル基、炭素数７〜１８のアリールオキシカルボニル基、シアノ基、ニトロ基、炭素数１〜１２のアルキルスルフイニル基、炭素数６〜１８のアリールスルフイニル基、炭素数１〜１２のアルキルスルホニル基、炭素数６〜１８のアリールスルホニル基、炭素数０〜１２のスルファモイル基、炭素数１〜１２のハロゲン化アルキル基、炭素数１〜１２のハロゲン化アルキルオキシ基、炭素数１〜１２のハロゲン化アルキルチオ基、炭素数７〜１８のハロゲン化アリールオキシ基、２つ以上のσｐ０．２０以上の他の電子求引性基で置換された炭素数７〜１８のアリール基、及び窒素原子、酸素原子、またはイオウ原子を有する５〜８員環で炭素数１〜１８のヘテロ環基を挙げることができる。
【００５３】
更に好ましくは、シアノ基、炭素数１〜１２のアルキルスルホニル基、炭素数６〜１８のアリールスルホニル基、または炭素数０〜１２のスルファモイル基である。特に好ましいものは、シアノ基、炭素数１〜８のアルキルスルホニル基、炭素数６〜１２のアリールスルホニル基、または炭素数０〜８のスルファモイル基であり、その中でもシアノ基、メタンスルホニル基、フェニルスルホニル基、スルファモイル基が好ましく、更にシアノ基、メタンスルホニル基が好ましく、シアノ基が最も好ましい。
【００５４】
一般式（２）中、Ｚの好ましい例は、水素原子、置換もしくは無置換のアルキル基、置換もしくは無置換のシクロアルキル基、置換もしくは無置換のアルケニル基、置換もしくは無置換のアルキニル基、置換もしくは無置換のアラルキル基、置換もしくは無置換のアリール基、置換もしくは無置換のヘテロ環基、置換もしくは無置換のアルキルスルホニル基、置換もしくは無置換のアリールスルホニル基またはアシル基を示す。特に好ましい置換基は置換もしくは無置換のアリール基、置換基もしくは無置換のへテロ環基、置換もしくは無置換のアルキルスルホニル基、置換もしくは無置換のアリールスルホニル基またはアシル基であり、その中でも特に置換基は置換もしくは無置換のアリール基、置換基もしくは無置換のへテロ環基が好ましい。置換基の例としては、前記一般式（２）におけるＸ、Ｙ、Ｚ、Ｗ０、Ｗ１、Ｗ２、Ｗ３、Ｗ４で挙げた置換基と同じものを挙げることができる。
【００５５】
一般式（２）中、Ｙ及びＷ1〜Ｗ４の好ましい例は、それぞれ独立に水素原子、置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、水素原子、総炭素原子数Ｃ１〜Ｃ８の直鎖アルキル基及びまたは分岐のアルキル基が好ましく、特に水素原子、またはＣ１〜Ｃ８のアルキル基が好ましく、水素原子が最も好ましい。
【００５６】
一般式（１）中、Ｒ１、Ｐ１、Ｑ１及びＷの好ましい例を詳細に説明する。
【００５７】
Ｗは、複数存在する場合はそれぞれ独立に置換基を表す。
【００５８】
Ｒ１、Ｐ１及びＱ１は、それぞれ独立に水素原子または置換基を表す。
【００５９】
Ｒ１、Ｐ１、Ｑ１及びＷが一価の置換基を示す場合、一価の置換基の例としては、それぞれ独立に、ハロゲン原子、アルキル基、シクロアルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基（アルキルアミノ基、アリールアミノ基）、アシルアミノ基（アミド基）、アミノカルボニルアミノ基（ウレイド基）、アルコキシカルボニルアミノ基、アリールオキシカルボニルアミノ基、スルファモイルアミノ基、アルキルスルホニルアミノ基、アリールスルホニルアミノ基、アルキルチオ基、アリールチオ基、ヘテロ環チオ基、スルファモイル基、アルキルスルフィニル基、アリールスルフィニル基、アルキルスルホニル基、アリールスルホニル基、アシル基、アリールオキシカルボニル基、アルコキシカルボニル基、カルバモイル基、ホスフィノ基、ホスフィニル基、ホスフィニルオキシ基、ホスフィニルアミノ基、シリル基、アゾ基、イミド基またはホスホリル基を挙げることができ、各々はさらに置換基を有していてもよい。
【００６０】
中でも特に好ましいＷは、それぞれ独立にハロゲン原子、アルキル基、アリール基、ヘテロ環基、シアノ基、ヒドロキシル基、アルコキシ基、アミド基、ウレイド基、アルキルスルホニルアミノ基、アリールスルホニルアミノ基、スルファモイル基、アルキルスルホニル基、アリールスルホニル基、カルバモイル基、またはアルコキシカルボニル基であり、特に水素原子、ハロゲン原子、アルキル基、アリール基、シアノ基、ヒドロキシル基、アルキルスルホニル基、アリールスルホニル基、ヘテロ環基またはアルコキシカルボニル基が好ましく、アルキル基、アリール基、ヒドロキシル基、アルコキシカルボニル基が最も好ましい。
Ｒ１、Ｐ１及びＱ１は、それぞれ独立に水素原子、ハロゲン原子、アルキル基、アリール基、ヘテロ環基、シアノ基、ヒドロキシル基、アルコキシ基、アミド基、ウレイド基、アルキルスルホニルアミノ基、アリールスルホニルアミノ基、スルファモイル基、アルキルスルホニル基、アリールスルホニル基、カルバモイル基、またはアルコキシカルボニル基であり、特に水素原子、ハロゲン原子、アルキル基、アリール基、シアノ基、ヒドロキシル基、アルキルスルホニル基、アリールスルホニル基、ヘテロ環基またはアルコキシカルボニル基が好ましく、水素原子、アルキル基、アリール基、ヒドロキシル基、アルコキシカルボニル基が最も好ましい。
【００６１】
以下に、前記Ｒ１、Ｐ１、Ｑ１及びＷを更に詳しく説明する。
Ｒ１、Ｐ１、Ｑ１及びＷで表されるハロゲン原子は、塩素原子、臭素原子、またはヨウ素原子を表す。中でも塩素原子、または臭素原子が好ましく、特に塩素原子が好ましい。
【００６２】
Ｒ１、Ｐ１、Ｑ１及びＷで表されるアルキル基は、置換もしくは無置換のアルキル基が含まれる。置換又は無置換のアルキル基は、炭素原子数が１〜３０のアルキル基が好ましい。置換基の例としては、前記一般式（２）におけるＸ、Ｙ、Ｚ、Ｗ０、Ｗ１、Ｗ２、Ｗ３、Ｗ４で挙げた置換基と同じものを挙げることができる。中でも、ヒドロキシ基、アルコキシ基、シアノ基、およびハロゲン原子、スルホ基(塩の形でもよい) またはカルボキシル基(塩の形でもよい)が好ましい。前記アルキル基の例には、メチル、エチル、ｎ−プロピル、ｉ−プロピル、ｎ−ブチル、ｉ−ブチル、ｓ−ブチル、ｔ−ブチル、ｎ−オクチル、エイコシル、２−クロロエチル、ヒドロキシエチル、シアノエチルまたは４−スルホブチルを挙げることが出来る。
【００６３】
Ｒ１、Ｐ１、Ｑ１及びＷで表されるシクロアルキル基は、置換もしくは無置換のシクロアルキル基が含まれる。置換基又は無置換のシクロアルキル基は、炭素原子数が５〜３０のシクロアルキル基が好ましい。置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記シクロアルキル基の例にはシクロヘキシル、シクロペンチル、または４−ｎ−ドデシルシクロヘキシルを挙げることができる。
【００６４】
Ｒ１、Ｐ１、Ｑ１及びＷで表されるアラルキル基は、置換もしくは無置換のアラルキル基が含まれる。置換もしくは無置換のアラルキル基としては、炭素原子数が７〜３０のアラルキル基が好ましい。置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アラルキルの例にはベンジルおよび２−フェネチルを挙げることが出来る。
【００６５】
Ｒ１、Ｐ１、Ｑ１及びＷで表されるアルケニル基は、直鎖、分岐、環状の置換もしくは無置換のアルケニル基を表す。好ましくは炭素数２−３０の置換又は無置換のアルケニル基、例えば、ビニル、アリル、プレニル、ゲラニル、オレイル、２−シクロペンテンー１−イル、２−シクロヘキセンー１−イルなどを挙げることが出来る。
【００６６】
Ｒ１、Ｐ１、Ｑ１及びＷで表されるアルキニル基は、炭素数２から３０の置換又は無置換のアルキニル基であり、例えば、エチニル、またはプロパルギルを挙げることが出来る。
【００６７】
Ｒ１、Ｐ１、Ｑ１及びＷで表されるアリール基は、炭素数６から３０の置換もしくは無置換のアリール基、例えばフェニル、ｐ−トリル、ナフチル、ｍ−クロロフェニル、またはｏ−ヘキサデカノイルアミノフェニルである。置換基の例としては、前記一般式（２）におけるＸ、Ｙ、Ｚ、Ｗ０、Ｗ１、Ｗ２、Ｗ３、Ｗ４で挙げた置換基と同じものを挙げることができる。
【００６８】
Ｒ１、Ｐ１、Ｑ１及びＷで表されるヘテロ環基は、５又は６員の置換もしくは無置換の、芳香族もしくは非芳香族のヘテロ環化合物から一個の水素原子を取り除いた一価の基であり、それらは更に縮環していてもよい。更に好ましくは、炭素数３から３０の５もしくは６員の芳香族のヘテロ環基である。置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記ヘテロ環基の例には、置換位置を限定しないで例示すると、ピリジン、ピラジン、ピリダジン、ピリミジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、などが挙げられる。
【００６９】
Ｒ１、Ｐ１、Ｑ１及びＷで表されるアルコキシ基は、置換もしくは無置換のアルコキシ基が含まれる。置換もしくは無置換のアルコキシ基としては、炭素原子数が１〜３０のアルコキシ基が好ましい。置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アルコキシ基の例には、メトキシ、エトキシ、イソプロポキシ、ｎ−オクチルオキシ、メトキシエトキシ、ヒドロキシエトキシおよび３−カルボキシプロポキシなどを挙げることが出来る。
【００７０】
Ｒ１、Ｐ１、Ｑ１及びＷで表されるアリールオキシ基は、炭素数６から３０の置換もしくは無置換のアリールオキシ基が好ましい。置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アリールオキシ基の例には、フェノキシ、２−メチルフェノキシ、４−ｔ−ブチルフェノキシ、３−ニトロフェノキシ、２−テトラデカノイルアミノフェノキシなどを挙げることが出来る。
【００７１】
Ｒ１、Ｐ１、Ｑ１及びＷで表されるシリルオキシ基は、炭素数３から２０のシリルオキシ基が好ましく、例えば、トリメチルシリルオキシ、ｔ−ブチルジメチルシリルオキシなどを挙げることが出来る。
【００７２】
Ｒ１、Ｐ１、Ｑ１及びＷで表されるで表されるヘテロ環オキシ基は、炭素数２から３０の置換もしくは無置換のヘテロ環オキシ基が好ましい。置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記ヘテロ環オキシ基の例には、例えば、１−フェニルテトラゾールー５−オキシ、２−テトラヒドロピラニルオキシなどを挙げることが出来る。
【００７３】
Ｒ１、Ｐ１、Ｑ１及びＷで表されるアシルオキシ基は、ホルミルオキシ基、炭素数２から３０の置換もしくは無置換のアルキルカルボニルオキシ基、炭素数６から３０の置換もしくは無置換のアリールカルボニルオキシ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アシルオキシ基の例には、例えば、ホルミルオキシ、アセチルオキシ、ピバロイルオキシ、ステアロイルオキシ、ベンゾイルオキシ、ｐ−メトキシフェニルカルボニルオキシなどを挙げることが出来る。
【００７４】
Ｒ１、Ｐ１、Ｑ１及びＷで表されるカルバモイルオキシ基は、炭素数１から３０の置換もしくは無置換のカルバモイルオキシ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記カルバモイルオキシ基の例には、例えば、Ｎ，Ｎ−ジメチルカルバモイルオキシ、Ｎ，Ｎ−ジエチルカルバモイルオキシ、モルホリノカルボニルオキシ、Ｎ，Ｎ−ジ−ｎ−オクチルアミノカルボニルオキシ、Ｎ−ｎ−オクチルカルバモイルオキシなどを挙げることが出来る。
【００７５】
Ｒ１、Ｐ１、Ｑ１及びＷで表されるアルコキシカルボニルオキシ基は、炭素数２から３０の置換もしくは無置換アルコキシカルボニルオキシ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アルコキシカルボニルオキシ基の例には、例えばメトキシカルボニルオキシ、エトキシカルボニルオキシ、ｔ−ブトキシカルボニルオキシ、ｎ−オクチルカルボニルオキシなどを挙げることが出来る。
【００７６】
Ｒ１、Ｐ１、Ｑ１及びＷで表されるアリールオキシカルボニルオキシ基は、炭素数７から３０の置換もしくは無置換のアリールオキシカルボニルオキシ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アリールオキシカルボニルオキシ基の例には、例えば、フェノキシカルボニルオキシ、ｐ−メトキシフェノキシカルボニルオキシ、ｐ−ｎ−ヘキサデシルオキシフェノキシカルボニルオキシなどを挙げることが出来る。
【００７７】
Ｒ１、Ｐ１、Ｑ１及びＷで表されるアミノ基は、炭素数１から３０の置換もしくは無置換のアルキルアミノ基、炭素数６から３０の置換もしくは無置換のアリールアミノ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アミノ基の例には、例えば、アミノ、メチルアミノ、ジメチルアミノ、アニリノ、Ｎ-メチル−アニリノ、ジフェニルアミノ、ヒドロキシエチルアミノ、カルボキシエチルアミノ、スルフォエチルアミノ、３，５−ジカルボキシアニリノなどを挙げることが出来る。
【００７８】
Ｒ１、Ｐ１、Ｑ１及びＷで表されるアシルアミノ基は、ホルミルアミノ基、炭素数１から３０の置換もしくは無置換のアルキルカルボニルアミノ基、炭素数６から３０の置換もしくは無置換のアリールカルボニルアミノ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アシルアミノ基の例には、例えば、ホルミルアミノ、アセチルアミノ、ピバロイルアミノ、ラウロイルアミノ、ベンゾイルアミノ、３，４，５−トリ−ｎ−オクチルオキシフェニルカルボニルアミノなどを挙げることが出来る。
【００７９】
Ｒ１、Ｐ１、Ｑ１及びＷで表されるアミノカルボニルアミノ基は、炭素数１から３０の置換もしくは無置換のアミノカルボニルアミノ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アミノカルボニルアミノ基の例には、例えば、カルバモイルアミノ、Ｎ，Ｎ−ジメチルアミノカルボニルアミノ、Ｎ，Ｎ−ジエチルアミノカルボニルアミノ、モルホリノカルボニルアミノなどを挙げることが出来る。
【００８０】
Ｒ１、Ｐ１、Ｑ１及びＷで表されるアルコキシカルボニルアミノ基は、炭素数２から３０の置換もしくは無置換アルコキシカルボニルアミノ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アルコキシカルボニルアミノ基の例には、例えば、メトキシカルボニルアミノ、エトキシカルボニルアミノ、ｔ−ブトキシカルボニルアミノ、ｎ−オクタデシルオキシカルボニルアミノ、Ｎ−メチルーメトキシカルボニルアミノなどを挙げることが出来る。
【００８１】
Ｒ１、Ｐ１、Ｑ１及びＷで表されるアリールオキシカルボニルアミノ基は、炭素数７から３０の置換もしくは無置換のアリールオキシカルボニルアミノ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アリールオキシカルボニルアミノ基の例には、例えば、フェノキシカルボニルアミノ、ｐ−クロロフェノキシカルボニルアミノ、ｍ−ｎ−オクチルオキシフェノキシカルボニルアミノなどを挙げることが出来る。
【００８２】
Ｒ１、Ｐ１、Ｑ１及びＷで表されるスルファモイルアミノ基は、炭素数０から３０の置換もしくは無置換のスルファモイルアミノ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記スルファモイルアミノ基の例には、例えば、スルファモイルアミノ、Ｎ，Ｎ−ジメチルアミノスルホニルアミノ、Ｎ−ｎ−オクチルアミノスルホニルアミノなどを挙げることが出来る。
【００８３】
Ｒ１、Ｐ１、Ｑ１及びＷで表されるアルキル及びアリールスルホニルアミノ基は、炭素数１から３０の置換もしくは無置換のアルキルスルホニルアミノ基、炭素数６から３０の置換もしくは無置換のアリールスルホニルアミノ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アルキルスルホニルアミノ基及びアリールスルホニルアミノ基の例には、例えば、メチルスルホニルアミノ、ブチルスルホニルアミノ、フェニルスルホニルアミノ、２，３，５−トリクロロフェニルスルホニルアミノ、ｐ−メチルフェニルスルホニルアミノなどを挙げることが出来る。
【００８４】
Ｒ１、Ｐ１、Ｑ１及びＷで表されるアルキルチオ基は、炭素数１から３０の置換もしくは無置換のアルキルチオ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アルキルチオ基の例には、例えばメチルチオ、エチルチオ、ｎ−ヘキサデシルチオなどを挙げることが出来る。
【００８５】
Ｒ１、Ｐ１、Ｑ１及びＷで表されるアリールチオ基は炭素数６から３０の置換もしくは無置換のアリールチオ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アリールチオ基の例には、例えば、フェニルチオ、ｐ−クロロフェニルチオ、ｍ−メトキシフェニルチオなどを挙げることが出来る。
【００８６】
Ｒ１、Ｐ１、Ｑ１及びＷで表されるヘテロ環チオ基は、炭素数２から３０の置換又は無置換のヘテロ環チオ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記ヘテロ環チオ基の例には、例えば、２−ベンゾチアゾリルチオ、１−フェニルテトラゾール−５−イルチオなどを挙げることが出来る。
【００８７】
Ｒ１、Ｐ１、Ｑ１及びＷで表されるスルファモイル基は、炭素数０から３０の置換もしくは無置換のスルファモイル基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記スルファモイル基の例には、例えば、Ｎ−エチルスルファモイル、Ｎ−（３−ドデシルオキシプロピル）スルファモイル、Ｎ，Ｎ−ジメチルスルファモイル、Ｎ−アセチルスルファモイル、Ｎ−ベンゾイルスルファモイル、Ｎ−（Ｎ’−フェニルカルバモイル）スルファモイル）などを挙げることが出来る。
【００８８】
Ｒ１、Ｐ１、Ｑ１及びＷで表されるアルキル及びアリールスルフィニル基は、炭素数１から３０の置換又は無置換のアルキルスルフィニル基、６から３０の置換又は無置換のアリールスルフィニル基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アルキル及びアリールスルフィニル基の例には、例えば、メチルスルフィニル、エチルスルフィニル、フェニルスルフィニル、ｐ−メチルフェニルスルフィニルなどを挙げることが出来る。
【００８９】
Ｒ１、Ｐ１、Ｑ１及びＷで表されるアルキル及びアリールスルホニル基は、炭素数１から３０の置換又は無置換のアルキルスルホニル基、６から３０の置換又は無置換のアリールスルホニル基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アルキル及びアリールスルホニル基の例には、例えば、メチルスルホニル、エチルスルホニル、フェニルスルホニル、ｐ−トルエンスルホニルなどを挙げることが出来る。
【００９０】
Ｒ１、Ｐ１、Ｑ１及びＷで表されるアシル基は、ホルミル基、炭素数２から３０の置換又は無置換のアルキルカルボニル基、炭素数７から３０の置換もしくは無置換のアリールカルボニル基、炭素数４から３０の置換もしくは無置換の炭素原子でカルボニル基と結合しているヘテロ環カルボニル基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アシル基の例には、例えば、アセチル、ピバロイル、２−クロロアセチル、ステアロイル、ベンゾイル、ｐ−ｎ−オクチルオキシフェニルカルボニル、２―ピリジルカルボニル、２―フリルカルボニルなどを挙げることが出来る。
【００９１】
Ｒ１、Ｐ１、Ｑ１及びＷで表されるアリールオキシカルボニル基は、炭素数７から３０の置換もしくは無置換のアリールオキシカルボニル基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アリールオキシカルボニル基の例には、例えば、フェノキシカルボニル、ｏ−クロロフェノキシカルボニル、ｍ−ニトロフェノキシカルボニル、ｐ−ｔ−ブチルフェノキシカルボニルなどを挙げることが出来る。
【００９２】
Ｒ１、Ｐ１、Ｑ１及びＷで表されるアルコキシカルボニル基は、炭素数２から３０の置換もしくは無置換アルコキシカルボニル基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アルコキシカルボニル基の例には、例えば、メトキシカルボニル、エトキシカルボニル、ｔ−ブトキシカルボニル、ｎ−オクタデシルオキシカルボニルなどを挙げることが出来る。
【００９３】
Ｒ１、Ｐ１、Ｑ１及びＷで表されるカルバモイル基は、炭素数１から３０の置換もしくは無置換のカルバモイル基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記カルバモイル基の例には、例えば、カルバモイル、Ｎ−メチルカルバモイル、Ｎ，Ｎ−ジメチルカルバモイル、Ｎ，Ｎ−ジ−ｎ−オクチルカルバモイル、Ｎ−（メチルスルホニル）カルバモイルなどを挙げることが出来る。
【００９４】
Ｒ１、Ｐ１、Ｑ１及びＷで表されるホスフィノ基は、炭素数２から３０の置換もしくは無置換のホスフィノ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記ホスフィノ基の例には、例えば、ジメチルホスフィノ、ジフェニルホスフィノ、メチルフェノキシホスフィノなどを挙げることが出来る。
【００９５】
Ｒ１、Ｐ１、Ｑ１及びＷで表されるホスフィニル基は、炭素数２から３０の置換もしくは無置換のホスフィニル基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記ホスフィニル基の例には、例えば、ホスフィニル、ジオクチルオキシホスフィニル、ジエトキシホスフィニルなどを挙げることが出来る。
【００９６】
Ｒ１、Ｐ１、Ｑ１及びＷで表されるホスフィニルオキシ基は、炭素数２から３０の置換もしくは無置換のホスフィニルオキシ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記ホスフィニルオキシ基の例には、例えば、ジフェノキシホスフィニルオキシ、ジオクチルオキシホスフィニルオキシなどを挙げることが出来る。
【００９７】
Ｒ１、Ｐ１、Ｑ１及びＷで表されるホスフィニルアミノ基は、炭素数２から３０の置換もしくは無置換のホスフィニルアミノ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記ホスフィニルアミノ基の例には、例えば、ジメトキシホスフィニルアミノ、ジメチルアミノホスフィニルアミノなどを挙げることが出来る。
【００９８】
Ｒ１、Ｐ１、Ｑ１及びＷで表されるシリル基は、炭素数３から３０の置換もしくは無置換のシリル基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記シリル基の例には、例えば、トリメチルシリル、ｔ−ブチルジメチルシリル、フェニルジメチルシリルなどを挙げることが出来る。
【００９９】
Ｒ１、Ｐ１、Ｑ１及びＷで表されるアゾ基は、例えば、フェニルアゾ、４−メトキシフェニルアゾ、４−ピバロイルアミノフェニルアゾ、２−ヒドロキシ−４−プロパノイルフェニルアゾなどを挙げることが出来る。
【０１００】
Ｒ１、Ｐ１、Ｑ１及びＷで表されるイミド基は、例えば、Ｎ−スクシンイミド、Ｎ−フタルイミドなどを挙げることが出来る。
【０１０１】
Ｒ１、Ｐ１、Ｑ１及びＷで表されるホスホリル基には、置換基を有するホスホリル基および無置換のホスホリル基が含まれる。ホスホリル基の例には、フェノキシホスホリル基およびフェニルホスホリル基が含まれる。
【０１０２】
Ｒ１、Ｐ１、Ｑ１及びＷで表されるイオン性親水性基には、スルホ基、カルボキシル基、ホスホノ基および４級アンモニウム基等が含まれる。イオン性親水性基としては、カルボキシル基およびスルホ基が好ましい。カルボキシル基およびスルホ基は塩の状態であってもよく、塩を形成する対イオンの例には、アンモニウムイオン、アルカリ金属イオン（例、カルシュウムイオン、バリウムイオン）および有機カチオン（例、テトラメチルグアニジウムイオン）が含まれる。
【０１０３】
Ｒ１、Ｐ１、Ｑ１及びＷが二価の基を示す場合、二価の基としては、アルキレン基（例、メチレン、エチレン、プロピレン、ブチレン、ペンチレン）、アルケニレン基（例、エテニレン、プロぺニレン）、アルキニレン基（例、エチニレン、プロピニレン）、アリーレン基（例、フェニレン、ナフチレン）、二価のヘテロ環基（例、６ークロロー１、３、５ートリアジンー２、４ージイル基、ピリミジン−２、４−ジイル基、ピリミジン−４、６−ジイル基、キノキサリンー２、３ージイル基、ピリダジンー３，６−ジイル）、−Ｏ−、−ＣＯ−、−ＮＲ’−（Ｒ’は水素原子、アルキル基又はアリール基）、−Ｓ−、−ＳＯ２−、−ＳＯ−又はこれらの組み合わせ（例えば−ＮＨＣＨ２ＣＨ２ＮＨ−、−ＮＨＣＯＮＨ−等）であることが好ましい。
【０１０４】
アルキレン基、アルケニレン基、アルキニレン基、アリーレン基、二価のヘテロ環基、Ｒのアルキル基又はアリール基は、置換基を有していてもよい。
【０１０５】
置換基の例としては、前記一般式（２）におけるＸ、Ｙ、Ｚ、Ｗ０、Ｗ１、Ｗ２、Ｗ３、Ｗ４で挙げた置換基と同じものを挙げることができる。
【０１０６】
上記Ｒ’のアルキル基およびアリール基は、上記Ｒ１、Ｐ１、Ｑ１及びＷがアルキル基またはアリール基の場合に挙げた置換基例と同義である。
【０１０７】
さらに好ましくは、炭素数１０以下のアルキレン基、炭素数１０以下のアルケニレン基、炭素数１０以下のアルキニレン基、炭素数６以上１０以下のアリーレン基、二価のヘテロ環基、−Ｓ−、−ＳＯ−、―ＳＯ２−又はこれらの組み合わせ（例えば−ＳＣＨ２ＣＨ２Ｓ−、−ＳＣＨ２ＣＨ２ＣＨ２Ｓ−等）であることがさらに好ましい。
【０１０８】
二価の連結基の総炭素数は０乃至５０であることが好ましく、０乃至３０であることがより好ましく、０乃至１０であることが最も好ましい。
【０１０９】
Ｒ１、Ｐ１、Ｑ１及びＷが三価の基を示す場合、三価の基としては、３価の炭化水素基、三価のヘテロ環基、＞Ｎ−、又はこれと２価の基の組み合わせ（例えば＞ＮＣＨ２ＣＨ２ＮＨ−、＞ＮＣＯＮＨ−等）であることが好ましい。
【０１１０】
三価の連結基の総炭素数は０乃至５０であることが好ましく、０乃至３０であることがより好ましく、０乃至１０であることが最も好ましい。
【０１１１】
本発明の一般式（１）で表される顔料の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０１１２】
本発明の一般式（１）で表されるアゾ顔料として特に好ましい組み合わせは、以下の（イ）〜（ヲ）を含むものである。
【０１１３】
（イ）Ｇは、芳香族炭化水素環に結合可能な５〜６員含窒素ヘテロ環が好ましく、特に好ましいＧは、−ＮＨＣＯ−、−ＮＨＣＯＮＨ−、−ＣＯＮＨ２、−ＮＨＣＯ−ＣＯ−ＮＨ−、−ＣＯ−ＮＨ−ＣＯ−を含有するヘテロ環が縮環した芳香族炭化水素環が好ましく、特に−ＮＨＣＯ−、−ＮＨＣＯＮＨ−、−ＮＨＣＯ−ＣＯ−ＮＨ−を含有するヘテロ環が縮環した芳香族炭化水素環が好ましく、その中でも特に好ましい５〜６員ヘテロ環が縮環している芳香族炭化水素環は、下記一般式（７）及びまたは一般式（８）で表されるものが挙げられる。式中、＊は一般式（１）中のＮ原子との結合部位を表す。
【０１１４】
【化１０】
0005205103.tif 000013
【０１１５】
（一般式（７）、（８）中、
Ｗ１１、Ｗ１２、Ｗ１３、Ｒ２及びＲ３はそれぞれ独立に水素原子または置換基を表す。）
【０１１６】
（ロ）Ｗは、水酸基、シアノ基、置換または無置換のカルバモイル基、置換または無置換のアミノ基、置換または無置換のアルコキシ基、置換または無置換のアリールオキシ基、置換または無置換のアルキルチオ基、置換または無置換のアリールチオ基、カルボニル基（−ＣＯ−）が好ましく、特に水酸基、置換または無置換のアミノ基、置換または無置換のアルコキシ基、置換または無置換のアルキルチオ基、カルボニル基が好ましく、その中でも水酸基、置換アミノ基が最も好ましい。
【０１１７】
（ハ）Ｗ１１、Ｗ１２、Ｗ１３、Ｒ１、Ｒ２の好ましい例はそれぞれ独立に水素原子、水酸基、シアノ基、置換または無置換のカルバモイル基、置換または無置換のアミノ基、置換または無置換のアルコキシ基、置換または無置換のアリールオキシ基、置換または無置換のアルキルチオ基、置換または無置換のアリールチオ基、カルボニル基（−ＣＯ−）が好ましく、特に水素原子、水酸基、置換または無置換のアミノ基、置換または無置換のアルコキシ基、置換または無置換のアルキルチオ基、カルボニル基が好ましく、その中でも水素原子、水酸基、置換アミノ基が最も好ましい。
【０１１８】
（ニ）ｔはへテロ環基に結合可能な基の数（０〜５の整数）を表し、好ましくは０〜４の整数であり、特に０〜３が好ましい、その中でも０〜２が最も好ましい。
【０１１９】
（ホ）Ｒ１は置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、総炭素原子数Ｃ１〜Ｃ８の直鎖アルキル基または分岐のアルキル基が好ましく、特にメチル基、２級または３級アルキル基が好ましく、メチル基、ｔ−ブチル基が最も好ましい。
【０１２０】
（ヘ）Ｐ１及びＱ１はそれぞれ独立に、水素原子、置換もしくは無置換のアルキル基、置換もしくは無置換のアシル基、置換もしくは無置換のアルキルスルホニル基、または置換もしくは無置換のアリールスルホニル基が好ましく、特に水素原子、置換もしくは無置換のアルキル基、または置換もしくは無置換のアシル基が好ましく、その中でも特に水素原子が好ましい。
【０１２１】
（ト）Ｈｅｔ.１は、上記一般式（２）で表される芳香族ヘテロ環基群（１）〜（１５）から選ばれる基が好ましく、その中でも（１）、（２）、（３）、（４）、（５）、（６）、（７）、（８）、（９）、（１０）、（１１）が好ましく、特に（２）、（５）、（６）、（７）、（８）、（９）、（１０）が好ましく、更に（２）、（５）、（６）、（７）、（１０）が好ましく、その中でも（２）、（６）、（７）が最も好ましい。
【０１２２】
（チ）Ｘとして特に好ましいものは、シアノ基、炭素数１〜１２のアルキルスルホニル基、炭素数６〜１８のアリールスルホニル基、または炭素数０〜１２のスルファモイル基であり、その中でも、シアノ基、または炭素数１〜１２のアルキルスルホニル基が好ましく、最も好ましいものは、シアノ基である。
【０１２３】
（リ）Ｙは水素原子、置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、水素原子、総炭素原子数Ｃ１〜Ｃ８の直鎖アルキル基または分岐のアルキル基が好ましく、特に水素原子、またはＣ１〜Ｃ８のアルキル基が好ましく、水素原子、メチル基が最も好ましい。
【０１２４】
（ヌ）Ｚは、水素原子、置換もしくは無置換のアルキル基、置換もしくは無置換のシクロアルキル基、置換もしくは無置換のアルケニル基、置換もしくは無置換のアルキニル基、置換もしくは無置換のアラルキル基、置換もしくは無置換のアリール基、または置換もしくは無置換のヘテロ環基が好ましく、特に好ましい置換基は置換もしくは無置換のへテロ環基であり、その中でも特に置換もしくは無置換の含窒素ヘテロ環基が好ましい。
【０１２５】
（ル）Ｗ０として特に好ましいものは、シアノ基、炭素数１〜１２のアルキルスルホニル基、炭素数６〜１８のアリールスルホニル基、または炭素数０〜１２のスルファモイル基であり、その中でも、シアノ基、またはメタンスルホニル基、フェニルスルホニル基が好ましく、最も好ましいものは、シアノ基である。
【０１２６】
（ヲ）Ｗ１〜Ｗ４は、水素原子、置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、水素原子、総炭素原子数Ｃ１〜Ｃ８の直鎖アルキル基または分岐のアルキル基が好ましく、特に水素原子、またはＣ１〜Ｃ８のアルキル基が好ましく、水素原子が最も好ましい。
【０１２７】
上記一般式（１）で表されるアゾ顔料は、下記一般式（３）で表されるアゾ顔料であることが好ましい。
以下、一般式（３）について詳細に説明する。
一般式（３）
【０１２８】
【化１１】
0005205103.tif 000014
【０１２９】
一般式（３）中、Ｗ１１、Ｗ１２、Ｗ１３、Ｒ１、はそれぞれ独立に水素原子または置換基を表す。Ｇ’は芳香族炭化水素環に縮環可能な５〜６員ヘテロ環を構成する事ができる非金属原子団を表す。Ｗは、Ｇ’が構成するヘテロ環上に結合可能な置換基を表す。ｔは０〜４の整数を表す。Ｈｅｔ．１は、前記記載の一般式（２）で表される芳香族へテロ環基群から選ばれる基を表す。前記一般式（２）における＊は、一般式（３）中のアゾ基との結合部位を表す。ｎは１〜３の整数を表す。ｎ＝２の場合は、Ｒ1、Ｒ２、Ｒ３、Ｗ、Ｗ１１、Ｗ１２、Ｗ１３又はＨｅｔ．１を介した２量体を表す。ｎ＝３の場合はＲ1、Ｒ２、Ｒ３、Ｗ、Ｗ１１、Ｗ１２、Ｗ１３又はＨｅｔ．１を介した３量体を表す。
【０１３０】
以下に、前記Ｒ１、Ｇ、Ｗ、ｔ及びＨｅｔ．１を更に詳しく説明する。
【０１３１】
Ｒ１の置換基例は、上記一般式（１）中のＲ１の例と同義であり、好ましい例も同じである。
【０１３２】
Ｗの置換基例は、上記一般式（１）中のＷの例と同義であり、好ましい例も同じである。
【０１３３】
ｔの例は、上記一般式（１）中のｔの例と同義であり、好ましい例も同じである。
【０１３４】
Ｇ’が表す非金属原子団としては、芳香族炭化水素環に縮環可能な５〜６員ヘテロ環であれば特に限定されるものでない。その中でも、−ＮＨＣＯ−、−ＮＨＣＯＮＨ−、−ＣＯＮＨ２、−ＮＨＣＯ−ＣＯ−ＮＨ−、−ＣＯ−ＮＨ−ＣＯ−を含有するヘテロ環が好ましく、特に−ＮＨＣＯ−、−ＮＨＣＯＮＨ−、−ＮＨＣＯ−ＣＯ−ＮＨ−を含有するヘテロ環が好ましく、その中でも特に好ましい５〜６員ヘテロ環は、下記一般式（９）及びまたは一般式（１０）で表されるものが挙げられる。式中、＊は一般式（３）中の芳香族炭化水素環との縮合部位を表す。
【０１３５】
【化１２】
0005205103.tif 000015
【０１３６】
（一般式（９）、（１０）中、Ｒ２及びＲ３はそれぞれ独立に水素原子または置換基を表す。）
【０１３７】
前記一般式（９）、（１０）中、Ｒ２及びＲ３が置換基を表す場合の置換基の例としては、上記記一般式（２）におけるＸ、Ｙ、Ｚ、Ｗ０、Ｗ１、Ｗ２、Ｗ３、Ｗ４で挙げた置換基と同じものを挙げることができる。
【０１３８】
Ｈｅｔ．１の表すヘテロ環基は、上記一般式（１）中のＨｅｔ．１の例と同義であり、好ましい例も同じである。
【０１３９】
本発明の一般式（３）で表される顔料の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０１４０】
本発明の一般式（３）で表されるアゾ顔料及びヒドラゾン顔料として特に好ましい組み合わせは、以下の（イ）〜（ヲ）を含むものである。
【０１４１】
（イ）Ｇ’は、芳香族炭化水素環に縮環可能な５〜６員ヘテロ環であれば特に限定されるものでない。その中でも、−ＮＨＣＯ−、−ＮＨＣＯＮＨ−、−ＣＯＮＨ２、−ＮＨＣＯ−ＣＯ−ＮＨ−、−ＣＯ−ＮＨ−ＣＯ−を含有するヘテロ環が好ましく、特に−ＮＨＣＯ−、−ＮＨＣＯＮＨ−、−ＮＨＣＯ−ＣＯ−ＮＨ−を含有するヘテロ環が好ましく、その中でも特に好ましい５〜６員ヘテロ環は、下記一般式（９）及びまたは一般式（１０）で表されるものが挙げられる。式中、＊は一般式（３）中の芳香族炭化水素環との縮合部位を表す。
【０１４２】
【化１３】
0005205103.tif 000016
【０１４３】
（一般式（９）、（１０）中、Ｒ２及びＲ３はそれぞれ独立に水素原子または置換基を表す。）
【０１４４】
（ロ）Ｗは、水酸基、シアノ基、置換または無置換のカルバモイル基、置換または無置換のアミノ基、置換または無置換のアルコキシ基、置換または無置換のアリールオキシ基、置換または無置換のアルキルチオ基、置換または無置換のアリールチオ基、カルボニル基（−ＣＯ−）が好ましく、特に水酸基、置換または無置換のアミノ基、置換または無置換のアルコキシ基、置換または無置換のアルキルチオ基、カルボニル基が好ましく、その中でも水酸基、置換アミノ基が最も好ましい。
【０１４５】
（ハ）Ｗ１１、Ｗ１２、Ｗ１３、Ｒ１、Ｒ２の好ましい例はそれぞれ独立に水素原子、水酸基、シアノ基、置換または無置換のカルバモイル基、置換または無置換のアミノ基、置換または無置換のアルコキシ基、置換または無置換のアリールオキシ基、置換または無置換のアルキルチオ基、置換または無置換のアリールチオ基、カルボニル基（−ＣＯ−）が好ましく、特に水素原子、水酸基、置換または無置換のアミノ基、置換または無置換のアルコキシ基、置換または無置換のアルキルチオ基、カルボニル基が好ましく、その中でも水素原子、水酸基、置換アミノ基が最も好ましい。
【０１４６】
（ニ）ｔはへテロ環基に結合可能な基の数（０〜４の整数）を表し、好ましくは０〜３の整数であり、特に０〜２が好ましい、その中でも０〜１が最も好ましい。
【０１４７】
（ホ）Ｒ１は置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、総炭素原子数Ｃ１〜Ｃ８の直鎖アルキル基または分岐のアルキル基が好ましく、特にメチル基、２級または３級アルキル基が好ましく、メチル基、ｔ−ブチル基が最も好ましい。
【０１４８】
（ヘ）Ｈｅｔ．１は、上記一般式（２）で表される芳香族ヘテロ環基群（１）〜（１５）から選ばれる基が好ましく、その中でも（１）、（２）、（３）、（４）、（５）、（６）、（７）、（８）、（９）、（１０）、（１１）が好ましく、特に（２）、（５）、（６）、（７）、（８）、（９）、（１０）が好ましく、更に（２）、（５）、（６）、（７）、（１０）が好ましく、その中でも（２）、（６）、（７）が最も好ましい。
【０１４９】
（ト）Ｘとして特に好ましいものは、シアノ基、炭素数１〜１２のアルキルスルホニル基、炭素数６〜１８のアリールスルホニル基、または炭素数０〜１２のスルファモイル基であり、その中でも、シアノ基、または炭素数１〜１２のアルキルスルホニル基が好ましく、最も好ましいものは、シアノ基である。
【０１５０】
（チ）Ｙは水素原子、置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、水素原子、総炭素原子数Ｃ１〜Ｃ８の直鎖アルキル基または分岐のアルキル基が好ましく、特に水素原子、またはＣ１〜Ｃ８のアルキル基が好ましく、水素原子が最も好ましい。
【０１５１】
（リ）Ｚは、水素原子、置換もしくは無置換のアルキル基、置換もしくは無置換のシクロアルキル基、置換もしくは無置換のアルケニル基、置換もしくは無置換のアルキニル基、置換もしくは無置換のアラルキル基、置換もしくは無置換のアリール基、または置換もしくは無置換のヘテロ環基が好ましく、特に好ましい置換基は置換もしくは無置換のへテロ環基であり、その中でも特に置換もしくは無置換の含窒素ヘテロ環基が好ましい。
【０１５２】
（ヌ）Ｗ０として特に好ましいものは、シアノ基、炭素数１〜１２のアルキルスルホニル基、炭素数６〜１８のアリールスルホニル基、または炭素数０〜１２のスルファモイル基であり、その中でも、シアノ基、またはメタンスルホニル基、フェニルスルホニル基が好ましく、最も好ましいものは、シアノ基である。
【０１５３】
（ル）Ｗ１〜Ｗ４は、水素原子、置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、水素原子、総炭素原子数Ｃ１〜Ｃ８の直鎖アルキル基または分岐のアルキル基が好ましく、特に水素原子、またはＣ１〜Ｃ８のアルキル基が好ましく、水素原子が最も好ましい。
【０１５４】
（ヲ）顔料母核としては、アゾ顔料及びまたはヒドラゾン顔料のうち主成分がアゾ顔料である事が好ましく、特にアゾ顔料母核の中でもアゾ顔料母核の単一の結晶型が最も好ましい。
【０１５５】
上記一般式（１）及び（３）で表されるアゾ顔料は、下記一般式（４）または（５）で表されるアゾ顔料であることが好ましい。
【０１５６】
以下、一般式（４）により表されるアゾ顔料、その互変異性体、それらの塩または水和物について詳細に説明する。
一般式（４）：
【０１５７】
【化１４】
0005205103.tif 000017
【０１５８】
（一般式（４）中、Ｗ１１、Ｗ１２、Ｗ１３、Ｒ１、Ｒ２及びＲ３はそれぞれ独立に水素原子または置換基を表す。Ｈｅｔ．１は、請求項１に記載の一般式（２）で表される芳香族へテロ環基群から選ばれる基を表す。前記一般式（２）における＊は、一般式（４）中のアゾ基との結合部位を表す。ｎは１〜３の整数を表す。ｎ＝２の場合は、Ｒ1、Ｒ２、Ｒ３、Ｗ、Ｗ１１、Ｗ１２、Ｗ１３又はＨｅｔ．１を介した２量体を表す。ｎ＝３の場合はＲ1、Ｒ２、Ｒ３、Ｗ、Ｗ１１、Ｗ１２、Ｗ１３又はＨｅｔ．１を介した３量体を表す。）
【０１５９】
以下に、前記Ｒ１、Ｒ２、Ｒ３、Ｗ１１、Ｗ１２、Ｗ１3及びＨｅｔ.１を更に詳しく説明する。
【０１６０】
Ｒ１の置換基例は、上記一般式（３）中のＲ１の例と同義であり、好ましい例も同じである。
【０１６１】
Ｗ１１、Ｗ１２の置換基例は、上記一般式（３）中のＷの例と同義であり、好ましい例も同じである。
【０１６２】
Ｈｅｔ．１の表すヘテロ環基は、上記一般式（３）中のＨｅｔ.１の例と同義であり、好ましい例も同じである。
【０１６３】
本発明の一般式（４）で表される顔料の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０１６４】
本発明の一般式（４）で表されるアゾ顔料として特に好ましい組み合わせは、以下の（イ）〜（リ）を含むものである。
【０１６５】
（イ）Ｗ１１、Ｗ１２、Ｗ１３、Ｒ２、Ｒ３の好ましい例はそれぞれ独立に水素原子、水酸基、シアノ基、置換または無置換のカルバモイル基、置換または無置換のアミノ基、置換または無置換のアルコキシ基、置換または無置換のアリールオキシ基、置換または無置換のアルキルチオ基、置換または無置換のアリールチオ基、カルボニル基（−ＣＯ−）が好ましく、特に水素原子、水酸基、置換または無置換のアミノ基、置換または無置換のアルコキシ基、置換または無置換のアルキルチオ基、カルボニル基が好ましく、その中でも水素原子、水酸基、置換アミノ基が最も好ましい。
【０１６６】
（ロ）Ｒ１は置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、総炭素原子数Ｃ１〜Ｃ８の直鎖アルキル基または分岐のアルキル基が好ましく、特にメチル基、２級または３級アルキル基が好ましく、メチル基、ｔ−ブチル基が最も好ましい。
【０１６７】
（ハ）Ｈｅｔ．１は、上記一般式（２）で表される芳香族ヘテロ環基群（１）〜（１５）から選ばれる基が好ましく、その中でも（１）、（２）、（３）、（４）、（５）、（６）、（７）、（８）、（９）、（１０）、（１１）が好ましく、特に（２）、（５）、（６）、（７）、（８）、（９）、（１０）が好ましく、更に（２）、（５）、（６）、（７）、（１０）が好ましく、その中でも（２）、（６）、（７）が最も好ましい。
【０１６８】
（ニ）Ｘとして特に好ましいものは、シアノ基、炭素数１〜１２のアルキルスルホニル基、炭素数６〜１８のアリールスルホニル基、または炭素数０〜１２のスルファモイル基であり、その中でも、シアノ基、または炭素数１〜１２のアルキルスルホニル基が好ましく、最も好ましいものは、シアノ基である。
【０１６９】
（ホ）Ｙは水素原子、置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、水素原子、総炭素原子数Ｃ１〜Ｃ８の直鎖アルキル基または分岐のアルキル基が好ましく、特に水素原子、またはＣ１〜Ｃ８のアルキル基が好ましく、水素原子が最も好ましい。
【０１７０】
（ヘ）Ｚは、水素原子、置換もしくは無置換のアルキル基、置換もしくは無置換のシクロアルキル基、置換もしくは無置換のアルケニル基、置換もしくは無置換のアルキニル基、置換もしくは無置換のアラルキル基、置換もしくは無置換のアリール基、または置換もしくは無置換のヘテロ環基が好ましく、特に好ましい置換基は置換もしくは無置換のへテロ環基であり、その中でも特に置換もしくは無置換の含窒素ヘテロ環基が好ましい。
【０１７１】
（ト）Ｗ０として特に好ましいものは、シアノ基、炭素数１〜１２のアルキルスルホニル基、炭素数６〜１８のアリールスルホニル基、または炭素数０〜１２のスルファモイル基であり、その中でも、シアノ基、またはメタンスルホニル基、フェニルスルホニル基が好ましく、最も好ましいものは、シアノ基である。
【０１７２】
（チ）Ｗ１〜Ｗ４は、水素原子、置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、水素原子、総炭素原子数Ｃ１〜Ｃ８の直鎖アルキル基または分岐のアルキル基が好ましく、特に水素原子、またはＣ１〜Ｃ８のアルキル基が好ましく、水素原子が最も好ましい。
【０１７３】
（リ）顔料母核としては、アゾ顔料及びまたはヒドラゾン顔料のうち主成分がアゾ顔料である事が好ましく、特にアゾ顔料母核の中でもアゾ顔料母核の単一の結晶型が最も好ましい。
【０１７４】
以下、一般式（５）により表されるアゾ顔料、その互変異性体、それらの塩または水和物について詳細に説明する。
一般式（５）：
【０１７５】
【化１５】
0005205103.tif 000018
【０１７６】
（一般式（５）中、Ｗ１１、Ｗ１２、Ｗ１３、Ｒ１、Ｒ２及びＲ３はそれぞれ独立に水素原子または置換基を表す。Ｈｅｔ．１は、請求項１に記載の一般式（２）で表される芳香族へテロ環基群から選ばれる基を表す。前記一般式（２）における＊は、一般式（５）中のアゾ基との結合部位を表す。ｎは１〜３の整数を表す。）ｎ＝２の場合は、Ｒ1、Ｒ２、Ｒ３、Ｗ１１、Ｗ１２、Ｗ１３又はＨｅｔ．１を介した２量体を表す。ｎ＝３の場合はＲ1、Ｒ２、Ｒ３、Ｗ、Ｗ１１、Ｗ１２、Ｗ１３又はＨｅｔ．１を介した３量体を表す。      
【０１７７】
以下に、前記Ｒ１、Ｒ２、Ｒ３、Ｗ１１、Ｗ１２、Ｗ１3及びＨｅｔ.１を更に詳しく説明する。
【０１７８】
Ｒ１の置換基例は、上記一般式（３）中のＲ１の例と同義であり、好ましい例も同じである。
【０１７９】
Ｗ１１、Ｗ１２の置換基例は、上記一般式（３）中のＷの例と同義であり、好ましい例も同じである。
【０１８０】
Ｈｅｔ．１の表すヘテロ環基は、上記一般式（３）中のＨｅｔ.１の例と同義であり、好ましい例も同じである。
【０１８１】
本発明の一般式（５）で表される顔料の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０１８２】
本発明の一般式（５）で表されるアゾ顔料として特に好ましい組み合わせは、以下の（イ）〜（リ）を含むものである。
【０１８３】
（イ）Ｗ１１、Ｗ１２、Ｗ１３、Ｒ１、Ｒ２の好ましい例はそれぞれ独立に水素原子、水酸基、シアノ基、置換または無置換のカルバモイル基、置換または無置換のアミノ基、置換または無置換のアルコキシ基、置換または無置換のアリールオキシ基、置換または無置換のアルキルチオ基、置換または無置換のアリールチオ基、カルボニル基（−ＣＯ−）が好ましく、特に水素原子、水酸基、置換または無置換のアミノ基、置換または無置換のアルコキシ基、置換または無置換のアルキルチオ基、カルボニル基が好ましく、その中でも水素原子、水酸基、置換アミノ基が最も好ましい。
【０１８４】
（ロ）Ｒ１は置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、総炭素原子数Ｃ１〜Ｃ８の直鎖アルキル基または分岐のアルキル基が好ましく、特にメチル基、２級または３級アルキル基が好ましく、メチル基、ｔ−ブチル基が最も好ましい。
【０１８５】
（ハ）Ｈｅｔ．１は、上記一般式（２）で表される芳香族ヘテロ環基群（１）〜（１５）から選ばれる基が好ましく、その中でも（１）、（２）、（３）、（４）、（５）、（６）、（７）、（８）、（９）、（１０）、（１１）が好ましく、特に（２）、（５）、（６）、（７）、（８）、（９）、（１０）が好ましく、更に（２）、（５）、（６）、（７）、（１０）が好ましく、その中でも（２）、（６）、（７）が最も好ましい。
【０１８６】
（ニ）Ｘとして特に好ましいものは、シアノ基、炭素数１〜１２のアルキルスルホニル基、炭素数６〜１８のアリールスルホニル基、または炭素数０〜１２のスルファモイル基であり、その中でも、シアノ基、または炭素数１〜１２のアルキルスルホニル基が好ましく、最も好ましいものは、シアノ基である。
【０１８７】
（ホ）Ｙは水素原子、置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、水素原子、総炭素原子数Ｃ１〜Ｃ８の直鎖アルキル基または分岐のアルキル基が好ましく、特に水素原子、またはＣ１〜Ｃ８のアルキル基が好ましく、水素原子が最も好ましい。
【０１８８】
（ヘ）Ｚは、水素原子、置換もしくは無置換のアルキル基、置換もしくは無置換のシクロアルキル基、置換もしくは無置換のアルケニル基、置換もしくは無置換のアルキニル基、置換もしくは無置換のアラルキル基、置換もしくは無置換のアリール基、または置換もしくは無置換のヘテロ環基が好ましく、特に好ましい置換基は置換もしくは無置換のへテロ環基であり、その中でも特に置換もしくは無置換の含窒素ヘテロ環基が好ましい。
【０１８９】
（ト）Ｗ０として特に好ましいものは、シアノ基、炭素数１〜１２のアルキルスルホニル基、炭素数６〜１８のアリールスルホニル基、または炭素数０〜１２のスルファモイル基であり、その中でも、シアノ基、またはメタンスルホニル基、フェニルスルホニル基が好ましく、最も好ましいものは、シアノ基である。
【０１９０】
（チ）Ｗ１〜Ｗ４は、水素原子、置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、水素原子、総炭素原子数Ｃ１〜Ｃ８の直鎖アルキル基または分岐のアルキル基が好ましく、特に水素原子、またはＣ１〜Ｃ８のアルキル基が好ましく、水素原子が最も好ましい。
【０１９１】
（リ）顔料母核としては、アゾ顔料及びまたはヒドラゾン顔料のうち主成分がアゾ顔料である事が好ましく、特にアゾ顔料母核の中でもアゾ顔料母核の単一の結晶型が最も好ましい。
【０１９２】
上記一般式（１）〜（５）で表されるアゾ顔料その互変異性体、それらの塩または水和物のうち、最も好ましくはＨｅｔ．１で表される芳香族へテロ環基が下記一般式（６）で表される顔料である。
【０１９３】
以下、一般式（６）について詳細に説明する。
【０１９４】
一般式（６）：
【０１９５】
【化１６】
0005205103.tif 000019
【０１９６】
（一般式（６）中、Ｙは水素原子または置換基を表す。Ｘはハメットのσｐ値が０．２以上の電子求引性基を表す。Ｇ’は、５〜６員の含窒素ヘテロ環を構成する事ができる非金属原子群を表し、ヘテロ環は無置換であっても、置換基を有していてもよい。また、それぞれのヘテロ環は単環であっても縮環していてもよい。＊はアゾ基との結合部位を表す。）
【０１９７】
以下に、前記Ｘ、Ｙ、及びＧを更に詳しく説明する。
【０１９８】
Ｘの置換基例は、上記一般式（２）中のＸの例と同義であり、好ましい例も同じである。
【０１９９】
Ｙの置換基例は、上記一般式（２）中のＹの例と同義であり、好ましい例も同じである。
【０２００】
Ｇ’の表す５〜６員の含窒素ヘテロ環を構成する事ができる非金属原子群の好ましい例は、下記一般式（１１）中の（Ｇ−１）〜（Ｇ−１３）である。一般式（Ｇ−１）〜（Ｇ−１３）中の＊は、該ピラゾール環のＮ原子との結合部位を表す。Ｚ１１〜Ｚ１４は水素原子または置換基を表す。（Ｇ−１３）におけるＧ’は５〜６員ヘテロ環を構成する事ができる非金属原子群を表し、Ｇ’で表されるヘテロ環は無置換であっても、置換基を有していてもよく、ヘテロ環は単環であっても縮環していてもよい。式（Ｇ−１）〜（Ｇ−１３）は置換基と共に互変異性体構造であっても良い。
【０２０１】
一般式（１１）：
【０２０２】
【化１７】
0005205103.tif 000020
【０２０３】
上記一般式（１１）中の（Ｇ−１）〜（Ｇ−１３）で表される＊はピラゾリル基上のＮ原子との結合部位を表す。
【０２０４】
上記一般式（１１）中、Ｇ’が表す５〜６員の含窒素ヘテロ環を構成する事ができる非金属原子群の好ましい例は、（Ｇ−１）、（Ｇ−２）、（Ｇ−３）、（Ｇ−４）、（Ｇ−５）、（Ｇ−６）、（Ｇ−７）、（Ｇ−１０）、（Ｇ−１１）、（Ｇ−１２）が好ましく、更に（Ｇ−１）、（Ｇ−２）、（Ｇ−３）、（Ｇ−４）、（Ｇ−５）、（Ｇ−６）が好ましく、特に（Ｇ−１）、（Ｇ−３）、（Ｇ−４）、（Ｇ−６）が好ましく、その中で（Ｇ−１）、（Ｇ−３）、（Ｇ−４）が最も好ましい。
【０２０５】
本発明の一般式（６）で表される芳香族へテロ環基の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０２０６】
本発明の一般式（６）で表される芳香族へテロ環基として特に好ましい組み合わせは、以下の（イ）〜（ハ）を含むものである。
【０２０７】
（イ）Ｘとして特に好ましいものは、シアノ基、炭素数１〜１２のアルキルスルホニル基、炭素数６〜１８のアリールスルホニル基、または炭素数０〜１２のスルファモイル基であり、その中でも、シアノ基、または炭素数１〜１２のアルキルスルホニル基が好ましく、最も好ましいものは、シアノ基である。
【０２０８】
（ロ）Ｙは水素原子、置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、水素原子、総炭素原子数Ｃ１〜Ｃ８の直鎖アルキル基または分岐のアルキル基が好ましく、特に水素原子、またはＣ１〜Ｃ８のアルキル基が好ましく、水素原子、メチル基が最も好ましい。
【０２０９】
（ハ）Ｇ’が表す５〜６員の含窒素ヘテロ環を構成する事ができる非金属原子群の好ましい例は、（Ｇ−１）、（Ｇ−２）、（Ｇ−３）、（Ｇ−４）、（Ｇ−５）、（Ｇ−６）、（Ｇ−７）、（Ｇ−１０）、（Ｇ−１１）、（Ｇ−１２）が好ましく、更に（Ｇ−１）、（Ｇ−２）、（Ｇ−３）、（Ｇ−４）、（Ｇ−５）、（Ｇ−６）が好ましく、特に（Ｇ−１）、（Ｇ−３）、（Ｇ−４）、（Ｇ−６）が好ましく、その中で（Ｇ−１）、（Ｇ−３）、（Ｇ−４）が最も好ましい。
【０２１０】
本発明は、一般式（１）〜（６）で表されるアゾ顔料の互変異性体もその範囲に含むものである。一般式（１）〜（６）は、化学構造上取りうる数種の互変異性体の中から極限構造式の形で示しているが、記載された構造以外の互変異性体であってもよく、複数の互変異性体を含有した混合物として用いても良い。
例えば、一般式（３）で表される顔料には、下記一般式（３’）で表されるアゾ−ヒドラゾンの互変異性体が考えられる。
本発明は、一般式（３）で表されるアゾ顔料の互変異性体である以下の一般式（３’）で表される化合物もその範囲に含むものである。
【０２１１】
以下、一般式（３）及び（３’）について詳細に説明する。
【０２１２】
【化１８】
0005205103.tif 000021
【０２１３】
（一般式（３’）中、Ｒ１、Ｇ’、Ｗ、Ｗ１１、Ｗ１２、Ｗ１３、ｔ、Ｈｅｔ．１及びｎは一般式（３）で定義したものと同じである。）
【０２１４】
本発明において、前記一般式（１）〜（６）で表されるアゾ顔料は、例えば、上記の極限構造式で表される互変異性体を含有していてもよいが、本発明のアゾ顔料、その塩、水和物及びそれらの互変異性体より選ばれる１種を主成分とすることが好ましい。すなわち、単一の極限構造式で表されるアゾ顔料を主成分とし、異なる極限構造で表されるアゾ顔料の含有量は少ないことが好ましく、主成分となるアゾ顔料の含有量はアゾ顔料全体に対し７０％〜１００％、好ましくは８０％〜１００％、より好ましくは９０％〜１００％、更に好ましくは９５％〜１００、特に好ましくは１００％である。単一の極限構造式で表されるアゾ顔料を主成分とすることで、色素分子の配列に対して規則性が向上し、分子内・分子間相互作用が強まり高次な３次元ネットワークを形成しやすくなり、色相の向上・光堅牢性・熱堅牢性・湿度堅牢性・酸化性ガス堅牢性及び耐溶剤性等、顔料に要求される性能の点で好ましい。
アゾ顔料、その塩、水和物及びそれらの互変異性体の混合比は、単結晶Ｘ線結晶構造解析、粉末Ｘ線回折（ＸＲＤ）、結晶の顕微鏡写真（ＴＥＭ）、ＩＲ（ＫＢｒ法）等の固体の物理化学的測定値から確認できる。
【０２１５】
上記一般式（１）〜（６）で表されるアゾ顔料において多数の互変異性体が考えられる。一般式（１）〜（６）で表されるアゾ顔料のうち、前述したように特に好ましいアゾ顔料の一般式の例としては、下記一般式（１２）または（１３）で表されるアゾ顔料を挙げることができる。
この構造が好ましい要因としては、一般式（１２）または（１３）で示すようにアゾ顔料構造に含有するヘテロ環を構成する窒素原子、水素原子およびヘテロ原子（カルボニル基の酸素原子またはアミノ基の窒素原子）が少なくとも１個以上の分子内の交叉水素結合（分子内水素結合）を容易に形成し易いことが挙げられる。その結果、分子の平面性が上がり、更に分子内・分子間相互作用が向上し、一般式（１２）または（１３）で表されるアゾ顔料の結晶性が高くなり（高次構造を形成し易くなり）、顔料としての要求性能である、光堅牢性、熱安定性、湿熱安定性、耐水性、耐ガス性及びまたは耐溶剤性が大幅に向上するため、最も好ましい例となる。
【０２１６】
一般式（１２）：
【０２１７】
【化１９】
0005205103.tif 000022
【０２１８】
一般式（１３）：
【０２１９】
【化２０】
0005205103.tif 000023
【０２２０】
（一般式（１２）及び（１３）中、Ｘ、Ｙ、Ｒ１、及びＧ’は一般式（３）で定義したものと同義である。）
【０２２１】
前記一般式（１）〜（６）で表されるアゾ顔料の具体例を以下に示すが、本発明に用いられるアゾ顔料は、下記の例に限定されるものではない。
【０２２２】
また、以下の具体例の構造は化学構造上取りうる数種の互変異性体の中から極限構造式の形で示されるが、記載された構造以外の互変異性体構造のものであっても良いことは言うまでもない。
【０２２３】
【化２１】
0005205103.tif 000024
【０２２４】
【化２２】
0005205103.tif 000025
【０２２５】
【化２３】
0005205103.tif 000026
【０２２６】
【化２４】
0005205103.tif 000027
【０２２７】
【化２５】
0005205103.tif 000028
【０２２８】
【化２６】
0005205103.tif 000029
【０２２９】
【化２７】
0005205103.tif 000030
【０２３０】
【化２８】
0005205103.tif 000031
【０２３１】
【化２９】
0005205103.tif 000032
【０２３２】
本発明の一般式（１）〜（６）で表される顔料は、化学構造式が一般式（１）〜（６）あるいはその互変異性体であれば良く、多形とも呼ばれるいかなる結晶形態の顔料であっても良い。
【０２３３】
結晶多形は、同じ化学組成を有するが、結晶中におけるビルディングブロック（分子又はイオン）の配置が異なることを言う。結晶構造によって化学的及び物理的性質が決定され、各多形は、レオロジー、色、及び他の色特性によってそれぞれ区別することができる。また、異なる多形は、X-Ray Diffraction（粉末Ｘ線回折測定結果）やX-Ray Analysis（Ｘ線結晶構造解析結果）によって確認することもできる。
本発明の一般式（１）〜（６）で表される顔料に結晶多形が存在する場合、どの多形であってもよく、また２種以上の多形の混合物であっても良いが、結晶型が単一のものを主成分とすることが好ましい。すなわち結晶多系が混入していないものが好ましく、単一の結晶型を有するアゾ顔料の含有量はアゾ顔料全体に対し７０％〜１００％、好ましくは８０％〜１００％、より好ましくは９０％〜１００％、更に好ましくは９５％〜１００、特に好ましくは１００％である。単一の結晶型を有するアゾ顔料を主成分とすることで、色素分子の配列に対して規則性が向上し、分子内・分子間相互作用が強まり高次な３次元ネットワークを形成しやすくなる。その結果として色相の向上・光堅牢性・熱堅牢性・湿度堅牢性・酸化性ガス堅牢性及び耐溶剤性等、顔料に要求される性能の点で好ましい。
アゾ顔料における結晶多形の混合比は、単結晶Ｘ線結晶構造解析、粉末Ｘ線回折（ＸＲＤ）、結晶の顕微鏡写真（ＴＥＭ）、ＩＲ（ＫＢｒ法）等の固体の物理化学的測定値から確認できる。
【０２３４】
また、本発明において一般式（１）〜（６）で表されるアゾ顔料は、酸基のある場合には、酸基の一部あるいは全部が塩型のものであってもよく、塩型の顔料と遊離酸型の顔料が混在していてもよい。上記の塩型の例としてＮａ、Ｌｉ、Ｋ等のアルカリ金属の塩、アルキル基もしくはヒドロキシアルキル基で置換されていてもよいアンモニウムの塩、又は有機アミンの塩が挙げられる。有機アミンの例として、低級アルキルアミン、ヒドロキシ置換低級アルキルアミン、カルボキシ置換低級アルキルアミン及び炭素数２〜４のアルキレンイミン単位を２〜１０個有するポリアミン等が挙げられる。これらの塩型の場合、その種類は１種類に限られず複数種混在していてもよい。
【０２３５】
更に、本発明で使用する顔料の構造において、その１分子中に酸基が複数個含まれる場合は、その複数の酸基は塩型あるいは酸型であり互いに異なるものであってもよい。
【０２３６】
本発明において、前記一般式（１）〜（６）で表されるアゾ顔料は、結晶中に水分子を含む水和物であっても良い。
【０２３７】
上記一般式（１）で表されるアゾ顔料は以下の方法により製造できる。すなわち、下記一般式（１４）で表されるヘテロ環アミンをジアゾニウム化し、
一般式（１４）：
Ｈｅｔ−ＮＨ２ 
（式中、Ｈｅｔは上記一般式（２）で表される芳香族へテロ環群から選ばれるへテロ環基と同義である。一般式（２）における＊は、一般式（１４）中のアミノ基との結合部位を表す。）
続いて、下記一般式（１５）で表される化合物とカップリング反応を行うことで、上記一般式（１）で表されるアゾ顔料を製造することができる。
一般式（１５）：
【０２３８】
【化３０】
0005205103.tif 000033
【０２３９】
（式中、Ｒ１、Ｐ１、Ｑ１はそれぞれ独立に水素原子または置換基を表す。Ｇは５〜６員ヘテロ環で縮環している芳香族炭化水素環を構成する事ができる非金属原子団を表す。Ｗは、Ｇが構成するヘテロ環で縮環している芳香族炭化水素環に結合可能な置換基を表す。ｔは０〜５の整数を表す。）
【０２４０】
一般式（１５）中、Ｒ１、Ｐ１、Ｑ１は、上記一般式（１）で表されるＲ１、Ｐ１、Ｑ１と同義であり、好ましい例も同じである。
Ｇの置換基例は、上記一般式（１）中のＧの例と同義であり、好ましい例も同じである。
Ｗは、上記一般式（１）中のＷの例と同義であり、好ましい例も同じである。
ｔは、上記一般式（１）中のｔの例と同義であり、好ましい例も同じである。
【０２４１】
本発明の一般式（１４）、一般式（１５）で表されるアゾ顔料の中間体の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０２４２】
本発明の一般式（１４）、一般式（１５）で表されるアゾ顔料の中間体として特に好ましい組み合わせは、以下の（イ）〜（ヲ）を含むものである。
【０２４３】
（イ）Ｇは、芳香族炭化水素環に結合可能な５〜６員含窒素ヘテロ環が好ましく、特に好ましいＧは、−ＮＨＣＯ−、−ＮＨＣＯＮＨ−、−ＣＯＮＨ２、−ＮＨＣＯ−ＣＯ−ＮＨ−、−ＣＯ−ＮＨ−ＣＯ−を含有するヘテロ環が縮環した芳香族炭化水素環が好ましく、特に−ＮＨＣＯ−、−ＮＨＣＯＮＨ−、−ＮＨＣＯ−ＣＯ−ＮＨ−を含有するヘテロ環が縮環した芳香族炭化水素環が好ましく、その中でも特に好ましい５〜６員ヘテロ環が縮環している芳香族炭化水素環は、下記一般式（７）及びまたは一般式（８）で表されるものが挙げられる。式中、＊は一般式（１）中のＮ原子との結合部位を表す。
【０２４４】
【化３１】
0005205103.tif 000034
【０２４５】
（一般式（７）、（８）中、Ｗ１１、Ｗ１２、Ｗ１３、Ｒ２及びＲ３はそれぞれ独立に水素原子または置換基を表す。）
【０２４６】
（ロ）Ｗは、水酸基、シアノ基、置換または無置換のカルバモイル基、置換または無置換のアミノ基、置換または無置換のアルコキシ基、置換または無置換のアリールオキシ基、置換または無置換のアルキルチオ基、置換または無置換のアリールチオ基、カルボニル基（−ＣＯ−）が好ましく、特に水酸基、置換または無置換のアミノ基、置換または無置換のアルコキシ基、置換または無置換のアルキルチオ基、カルボニル基が好ましく、その中でも水酸基、置換アミノ基が最も好ましい。
【０２４７】
（ハ）Ｗ１１、Ｗ１２、Ｗ１３、Ｒ１、Ｒ２の好ましい例はそれぞれ独立に水素原子、水酸基、シアノ基、置換または無置換のカルバモイル基、置換または無置換のアミノ基、置換または無置換のアルコキシ基、置換または無置換のアリールオキシ基、置換または無置換のアルキルチオ基、置換または無置換のアリールチオ基、カルボニル基（−ＣＯ−）が好ましく、特に水素原子、水酸基、置換または無置換のアミノ基、置換または無置換のアルコキシ基、置換または無置換のアルキルチオ基、カルボニル基が好ましく、その中でも水素原子、水酸基、置換アミノ基が最も好ましい。
【０２４８】
（ニ）ｔはへテロ環基に結合可能な基の数（０〜５の整数）を表し、好ましくは１〜４の整数であり、特に２〜３が好ましい、その中でも３が最も好ましい。  
【０２４９】
（ホ）Ｒ１は置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、総炭素原子数Ｃ１〜Ｃ８の直鎖アルキル基または分岐のアルキル基が好ましく、特にメチル基、２級または３級アルキル基が好ましく、メチル基、ｔ−ブチル基が最も好ましい。
【０２５０】
（ヘ）Ｐ１、Ｑ１はそれぞれ独立に、水素原子、置換もしくは無置換のアルキル基、置換もしくは無置換のアシル基、置換もしくは無置換のアルキルスルホニル基、または置換もしくは無置換のアリールスルホニル基が好ましく、特に水素原子、置換もしくは無置換のアルキル基、または置換もしくは無置換のアシル基が好ましく、その中でも特に水素原子が好ましい。
【０２５１】
（ト）Ｈｅｔは、上記一般式（２）で表される芳香族ヘテロ環基群（１）〜（１５）から選ばれる基が好ましく、その中でも（１）、（２）、（３）、（４）、（５）、（６）、（７）、（８）、（９）、（１０）、（１１）が好ましく、特に（２）、（５）、（６）、（７）、（８）、（９）、（１０）が好ましく、更に（２）、（５）、（６）、（７）、（１０）が好ましく、その中でも（２）、（６）、（７）が好ましく、（２）が最も好ましい。
【０２５２】
（チ）Ｘとして特に好ましいものは、シアノ基、炭素数１〜１２のアルキルスルホニル基、炭素数６〜１８のアリールスルホニル基、または炭素数０〜１２のスルファモイル基であり、その中でも、シアノ基、または炭素数１〜１２のアルキルスルホニル基が好ましく、最も好ましいものは、シアノ基である。
【０２５３】
（リ）Ｙは水素原子、置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、水素原子、総炭素原子数Ｃ１〜Ｃ８の直鎖アルキル基または分岐のアルキル基が好ましく、特に水素原子、またはＣ１〜Ｃ８のアルキル基が好ましく、水素原子が最も好ましい。
【０２５４】
（ヌ）Ｚは、水素原子、置換もしくは無置換のアルキル基、置換もしくは無置換のシクロアルキル基、置換もしくは無置換のアルケニル基、置換もしくは無置換のアルキニル基、置換もしくは無置換のアラルキル基、置換もしくは無置換のアリール基、または置換もしくは無置換のヘテロ環基が好ましく、特に好ましい置換基は置換もしくは無置換のへテロ環基であり、その中でも特に置換もしくは無置換の含窒素ヘテロ環基が好ましい。
【０２５５】
（ル）Ｗ０として特に好ましいものは、シアノ基、炭素数１〜１２のアルキルスルホニル基、炭素数６〜１８のアリールスルホニル基、または炭素数０〜１２のスルファモイル基であり、その中でも、シアノ基、またはメタンスルホニル基、フェニルスルホニル基が好ましく、最も好ましいものは、シアノ基である。
【０２５６】
（ヲ）Ｗ１〜Ｗ４は、水素原子、置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、水素原子、総炭素原子数Ｃ１〜Ｃ８の直鎖アルキル基または分岐のアルキル基が好ましく、特に水素原子、またはＣ１〜Ｃ８のアルキル基が好ましく、水素原子が最も好ましい。
【０２５７】
以下に、本発明のアゾ顔料の合成に関して詳細に説明する。
本発明のアゾ顔料は、例えば、一般式（１４）のジアゾ成分を既知の方法により調製したジアゾニウム塩を一般式（１５）のカップリング成分とアゾカップリング反応させることにより合成できる。
【０２５８】
ジアゾニウム塩調製及びカップリング反応は、慣用法によって実施できる。
一般式（１４）のジアゾニウム塩調製は、例えば酸（例えば、塩酸、硫酸、リン酸、酢酸、プロピオン酸、メタンスルホン酸、トリフルオロメタンスルホン酸等）含有反応媒質中で、ニトロソニウムイオン源、例えば亜硝酸、亜硝酸塩またはニトロシル硫酸を用いる慣用のジアゾニウム塩調整方法が適用できる。
【０２５９】
より好ましい酸の例としては、酢酸、プロピオン酸、メタンスルホン酸、リン酸、硫酸を単独または併用して用いる場合が挙げられ、その中でリン酸、または酢酸と硫酸の併用系が特に好ましい。
反応媒質（溶媒）の好ましい例としては、有機酸、無機酸を用いることが好ましく、特にリン酸、硫酸、酢酸、プロピオン酸、メタンスルホン酸が好ましく、その中でも酢酸及びまたはプロピオン酸が好ましい。
好ましいニトロソニウムイオン源の例としては、上記の好ましい酸含有含有反応媒質中でニトロシル硫酸を用いることが安定に且つ効率的にジアゾニウム塩を調製できる。
【０２６０】
一般式（１４）のジアゾ成分に対する溶媒の使用量は、０．５〜５０質量倍が好ましく、より好ましくは１〜２０質量倍であり、特に３〜１０質量倍が好ましい。
本発明において、一般式（１４）のジアゾ成分は溶媒に分散している状態であっても、ジアゾ成分の種類によっては溶解液の状態になっていてもどちらでも良い。
ニトロソニウムイオン源の使用量はジアゾ成分に対して０．９５〜５．０当量が好ましく、より好ましくは１．００〜３．００当量であり、特に１．００〜１．１０当量であることが好ましい。
反応温度は、−１５℃〜３０℃が好ましく、より好ましくは−１０℃〜１０℃であり、更に好ましくは−５℃〜５℃である。−１０℃未満では反応速度が顕著に遅くなり合成に要する時間が著しく長くなるため経済的でなく、また３０℃を超える高温で合成する場合には、副生成物の生成量が増加するため好ましくない。
反応時間は、３０分から３００分が好ましく、より好ましくは３０分から２００分であり、更に好ましくは３０分から１５０分である。
【０２６１】
カップリング反応は、酸性反応媒質中〜塩基性反応媒質中で実施することができるが、本発明のアゾ顔料は酸性〜中性反応媒質中で実施することが好ましく、特に酸性反応媒質中で実施することがジアゾニウム塩の分解を抑制し効率良くアゾ顔料に誘導することができる。
【０２６２】
反応媒質（溶媒）の好ましい例としては、有機酸、無機酸、有機溶媒を用いることができるが、特に有機溶媒が好ましく、反応時に液体分離現象を起こさず、溶媒と均一な溶液を呈する溶媒が好ましい。例えば、メタノール、エタノール、プロパノール、イソプロパノール、ブタノール、ｔ−ブチルアルコール、アミルアルコール等のアルコール性有機溶媒、アセトン、メチルエチルケトン等のケトン系有機溶媒、エチレングリコール、ジエチレングリコール、トリエチレングリコール、プロピレングリコール、ジプロピレングリコール、１，３−プロパンジオール等のジオール系有機溶媒、エチレングリコールモノメチルエーテル、エチレングリコールモノエチルエーテル、エチレングリコールジエチルエーテル等のエーテル系有機溶媒、テトラヒドロフラン、ジオキサン、アセトニトリル等が挙げられる、これらの溶媒は２種類以上の混合液であってもよい。
好ましくは、極性パラメータ（ＥＴ）の値が４０以上の有機溶媒である。なかでも溶媒分子中に水酸基を２個以上有するグリコール系の溶媒、あるいは炭素原子数が３個以下のアルコール系溶媒、好ましくは炭素原子数が２以下のアルコール溶媒（例えば、メタノール、エチレングリコール）が好ましい。またこれらの混合溶媒も含まれる。
溶媒の使用量は上記一般式（１５）で表されるカップリング成分の１〜１００質量倍が好ましく、より好ましくは１〜５０質量倍であり、更に好ましくは２〜１０質量倍である。
【０２６３】
本発明において、一般式（１５）のカップリング成分は溶媒に分散している状態であっても、カップリング成分の種類によっては溶解液の状態になっていてもどちらでも良い。
カップリング成分の使用量は、アゾカップリング部位あたり、ジアゾ成分が０．９５〜５．０当量が好ましく、より好ましくは１．００〜３．００当量であり、特に１．００〜１．５０当量であることが好ましい。
【０２６４】
反応温度は、−３０℃〜３０℃が好ましく、より好ましくは−１５℃〜１０℃であり、更に好ましくは−１０℃〜５℃である。−３０℃未満では反応速度が顕著に遅くなり合成に要する時間が著しく長くなるため経済的でなく、また３０℃を超える高温で合成する場合には、副生成物の生成量が増加するため好ましくない。
反応時間は、３０分から３００分が好ましく、より好ましくは３０分から２００分であり、更に好ましくは３０分から１５０分である。
【０２６５】
本発明のアゾ顔料の合成方法においては、これらの反応によって得られる生成物（粗アゾ顔料）は通常の有機合成反応の後処理方法に従って処理した後、精製してあるいは精製せずに供することができる。
すなわち、例えば、反応系から遊離したものを精製せずに、あるいは再結晶、造塩等にて精製する操作を単独、あるいは組み合わせて行ない、供することができる。
【０２６６】
また、反応終了後、反応溶媒を留去して、あるいは留去せずに水、又は氷にあけ、中和してあるいは中和せずに、遊離したものをあるいは有機溶媒／水溶液にて抽出したものを、精製せずにあるいは再結晶、晶析、造塩等にて精製する操作を単独に又は組み合わせて行なった後、供することもできる。
【０２６７】
更に詳細に本発明のアゾ顔料の合成方法について説明する。
本発明のアゾ顔料の製造方法は、下記一般式（１４）で表されるヘテロ環アミンをジアゾニウム化したジアゾニウム化合物と、下記一般式（１５）で表される化合物とのカップリング反応において、該一般式（１５）の化合物を有機溶媒に溶解させた後カップリング反応を行うことができる。
【０２６８】
上記一般式（１４）で表されるヘテロ環アミンのジアゾニウム化反応は例えば、硫酸、リン酸、酢酸などの酸性溶媒中、亜硝酸ナトリウム、ニトロシル硫酸等の試薬と１５℃以下の温度で１０分〜６時間程度反応させることで行うことができる。カップリング反応は、上述の方法で得られたジアゾニウム塩と上記一般式（１５）で表される化合物とを４０℃以下、好ましくは１５℃以下で１０分〜１２時間程度反応させることで行うことが好ましい。
【０２６９】
上述した互変異性および／または結晶多形の制御は、カップリング反応の際の製造条件で制御することができる。より好ましい形態である結晶を製造する方法としては、例えば、上記一般式（１５）で表される化合物を有機溶媒に一度溶解させた後カップリング反応を行う本発明の方法を用いるのが好ましい。このとき使用できる有機溶媒としては、例えば、アルコール溶媒が挙げられる。アルコール溶媒の例としては、メタノール、エタノール、イソプロパノール、エチレングリコール、ジエチレングリコール等が好ましく、その中でもメタノールが特に好ましい。
【０２７０】
本発明の別のアゾ顔料の製造方法は、前記一般式（１４）で表されるヘテロ環アミンをジアゾニウム化したジアゾニウム化合物と、前記一般式（１５）で表される化合物とのカップリング反応において、極性非プロトン性溶媒の存在下カップリング反応を行うことができる。
【０２７１】
極性非プロトン性溶媒の例としては、Ｎ，Ｎ−ジメチルホルムアミド、Ｎ，Ｎ−ジメチルアセトアミド、Ｎ−メチル−２−ピロリドン、ジメチルスルホキシド、テトラメチル尿素、およびこれらの混合溶媒等が挙げられる。これらの溶媒を用いる場合、上記一般式（１５）の化合物は溶媒に完溶していても完溶していなくてもよい。    
【０２７２】
上記の製造方法によって、上記一般式（１）〜（６）で表される化合物は粗アゾ顔料（クルード）として得られるが、本発明の顔料として用いる場合、後処理を行うことが望ましい。この後処理の方法としては、例えば、ソルベントソルトミリング、ソルトミリング、ドライミリング、ソルベントミリング、アシッドペースティング等の磨砕処理、溶媒加熱処理などによる顔料粒子制御工程、樹脂、界面活性剤および分散剤等による表面処理工程が挙げられる。
【０２７３】
本発明の一般式（１）〜（６）で表される化合物は後処理として溶媒加熱処理および／またはソルベントソルトミリングを行うことが好ましい。
溶媒加熱処理に使用される溶媒としては、例えば、水、トルエン、キシレン等の芳香族炭化水素系溶媒、クロロベンゼン、ｏ−ジクロロベンゼン等のハロゲン化炭化水素系溶媒、イソプロパノール、イソブタノール等のアルコール系溶媒、Ｎ，Ｎ−ジメチルホルムアミド、Ｎ，Ｎ−ジメチルアセトアミド、Ｎ−メチル−２−ピロリドン等の極性非プロトン性有機溶媒、氷酢酸、ピリジン、またはこれらの混合物等が挙げられる。上記で挙げた溶媒に、さらに無機または有機の酸または塩基を加えても良い。溶媒加熱処理の温度は所望する顔料の一次粒子径の大きさによって異なるが、４０〜１５０℃が好ましく、６０〜１００℃がさらに好ましい。また、処理時間は、３０分〜２４時間が好ましい。
ソルベントソルトミリングとしては、例えば、粗アゾ顔料と、無機塩と、それを溶解しない有機溶剤とを混練機に仕込み、その中で混練磨砕を行うことが挙げられる。上記無機塩としては、水溶性無機塩が好適に使用でき、例えば塩化ナトリウム、塩化カリウム、硫酸ナトリウム等の無機塩を用いることが好ましい。また、平均粒子径０．５〜５０μｍの無機塩を用いることがより好ましい。当該無機塩の使用量は、粗アゾ顔料に対して３〜２０質量倍とするのが好ましく、５〜１５質量倍とするのがより好ましい。有機溶剤としては、水溶性有機溶剤が好適に使用でき、混練時の温度上昇により溶剤が蒸発し易い状態になるため、安全性の点から高沸点溶剤が好ましい。このような有機溶剤としては、例えばジエチレングリコール、グリセリン、エチレングリコール、プロピレングリコール、液体ポリエチレングルコール、液体ポリプロピレングリコール、２−（メトキシメトキシ）エタノール、２−ブトキシエタノール、２ー（イソペンチルオキシ）エタノール、２−（ヘキシルオキシ）エタノール、ジエチレングリコールモノメチルエーテル、ジエチレングルコールモノエチルエーテル、ジエチレングリコールモノブチルエーテル、トリエチレングリコール、トリエチレングリコールモノメチルエーテル、１−メトキシ−２−プロパノール、１−エトキシ−２−プロパノール、ジプロピレングリコール、ジプロピレングリコールモノメチルエーテル、ジプロピレングリコールモノメチルエーテル、ジプロピレングリコールまたはこれらの混合物が挙げられる。当該水溶性有機溶剤の使用量は、粗アゾ顔料に対して０．１〜５質量倍が好ましい。混練温度は、２０〜１３０℃が好ましく、４０〜１１０℃が特に好ましい。混練機としては、例えばニーダーやミックスマーラー等が使用できる。
【０２７４】
〔顔料分散物〕
本発明の顔料分散物は、一般式（１）〜（６）で表されるアゾ顔料を少なくとも１種を含むことを特徴とする。これにより、色彩的特性、耐久性および分散安定性に優れた顔料分散物とすることができる。
【０２７５】
本発明の顔料分散物は、水系であっても非水系であってもよいが、水系の顔料分散物であることが好ましい。本発明の水系顔料分散物において顔料を分散する水性の液体は、水を主成分とし、所望により親水性有機溶剤を添加した混合物を用いることができる。前記親水性有機溶剤としては，例えば、メタノール、エタノール、プロパノール、イソプロパノール、ブタノール、イソブタノール、ｓｅｃ−ブタノール、ｔ−ブタノール、ペンタノール、ヘキサノール、シクロヘキサノール、ベンジルアルコール等のアルコール類、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等の他価アルコール類、エチレングリコールモノメチルエーテル、エチレングリコールモノエチルエーテル、エチレングリコールものブチルエーテル、ジエチレングリコールモノメチルエーテル、ジエチレングリコールモノブチルエーテル、プロピレングリコールモノメチルエーテル、プロピレングリコールモノブチルエーテル、ジプロピレングリコールモノメチルエーテル、トリエチレングリコールモノメチルエーテル、エチレングリコールジアセテート、エチレングリコールモノメチルエーテルアセテートトリエチレングリコールモノエチルエーテル、エチレングリコールモノフェニルエーテル等のグリコール誘導体、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレントリアミン、トリエチレンテトラミン、ポリエチレンイミン、テトラメチルプロピレンジアミン等のアミン、ホルムアミド、Ｎ，Ｎ−ジメチルホルムアミド、Ｎ，Ｎ−ジメチルアセトアミド、ジメチルスルホキシド、スルホラン、２−ピロリドン、Ｎ−メチル−２−ピロリドン、Ｎ−ビニル−２−ピロリドン、２−オキサゾリドン、１，３−ジメチル−２−イミダゾリジノン、アセトニトリル、アセトン等が挙げられる。
【０２７６】
さらに、本発明の水系顔料分散物には水性樹脂を含んでいてもよい。水性樹脂としては，水に溶解する水溶解性の樹脂，水に分散する水分散性の樹脂，コロイダルディスパーション樹脂、またはそれらの混合物が挙げられる。水性樹脂として具体的には，アクリル系，スチレン−アクリル系，ポリエステル系，ポリアミド系，ポリウレタン系，フッ素系等の樹脂が挙げられる。
【０２７７】
さらに，顔料の分散および画像の品質を向上させるため，界面活性剤および分散剤を用いてもよい。界面活性剤としては、アニオン性，ノニオン性，カチオン性，両イオン性の界面活性剤が挙げられ、いずれの界面活性剤を用いてもよいが、アニオン性、または非イオン性の界面活性剤を用いるのが好ましい。アニオン性界面活性剤としては，例えば、脂肪酸塩，アルキル硫酸エステル塩，アルキルベンゼンスルホン酸塩，アルキルナフタレンスルホン酸塩，ジアルキルスルホコハク酸塩，アルキルジアリールエーテルジスルホン酸塩，アルキルリン酸塩，ポリオキシエチレンアルキルエーテル硫酸塩，ポリオキシエチレンアルキルアリールエーテル硫酸塩，ナフタレンスルホン酸フォルマリン縮合物，ポリオキシエチレンアルキルリン酸エステル塩，グリセロールボレイト脂肪酸エステル，ポリオキシエチレングリセロール脂肪酸エステル等が挙げられる。
【０２７８】
ノニオン性界面活性剤としては，例えば、ポリオキシエチレンアルキルエーテル，ポリオキシエチレンアルキルアリールエーテル，ポリオキシエチレンオキシプロピレンブロックコポリマー，ソルビタン脂肪酸エステル，ポリオキシエチレンソルビタン脂肪酸エステル，ポリオキシエチレンソルビトール脂肪酸エステル，グリセリン脂肪酸エステル，ポリオキシエチレン脂肪酸エステル，ポリオキシエチレンアルキルアミン，フッ素系，シリコン系等が挙げられる。
【０２７９】
非水系顔料分散物は、前記一般式（１）で表される顔料を非水系ビヒクルに分散してなるものである。非水系ビヒクルに使用される樹脂は、例えば、石油樹脂、カゼイン、セラック、ロジン変性マレイン酸樹脂、ロジン変性フェノール樹脂、ニトロセルロース、セルロースアセテートブチレート、環化ゴム、塩化ゴム、酸化ゴム、塩酸ゴム、フェノール樹脂、アルキド樹脂、ポリエステル樹脂、不飽和ポリエステル樹脂、アミノ樹脂、エポキシ樹脂、ビニル樹脂、塩化ビニル、塩化ビニル−酢酸ビニル共重合体、アクリル樹脂、メタクリル樹脂、ポリウレタン樹脂、シリコン樹脂、フッ素樹脂、乾性油、合成乾性油、スチレン／マレイン酸樹脂、スチレン／アクリル樹脂、ポリアミド樹脂、ポリイミド樹脂、ベンゾグアナミン樹脂、メラミン樹脂、尿素樹脂塩素化ポリプロピレン、ブチラール樹脂、塩化ビニリデン樹脂等が挙げられる。非水系ビヒクルとして、光硬化性樹脂を用いてもよい。
【０２８０】
また、非水系ビヒクルに使用される溶剤としては、例えば、トルエンやキシレン、メトキシベンゼン等の芳香族系溶剤、酢酸エチルや酢酸ブチル、プロピレングリコールモノメチルエーテルアセテート、プロピレングリコールモノエチルエーテルアセテート等の酢酸エステル系溶剤、エトキシエチルプロピオネート等のプロピオネート系溶剤、メタノール、エタノール等のアルコール系溶剤、ブチルセロソルブ、プロピレングリコールモノメチルエーテル、ジエチレングリコールエチルエーテル、ジエチレングリコールジメチルエーテル等のエーテル系溶剤、メチルエチルケトン、メチルイソブチルケトン、シクロヘキサノン等のケトン系溶剤、ヘキサン等の脂肪族炭化水素系溶剤、Ｎ，Ｎ−ジメチルホルムアミド、γ−ブチロラクタム、Ｎ−メチル−２−ピロリドン、アニリン、ピリジン等の窒素化合物系溶剤、γ−ブチロラクトン等のラクトン系溶剤、カルバミン酸メチルとカルバミン酸エチルの４８：５２の混合物のようなカルバミン酸エステル等が挙げられる。
【０２８１】
本発明において、顔料の体積平均粒子径は１０ｎｍ以上２５０ｎｍ以下であることが好ましい。なお、顔料粒子の体積平均粒子径とは、顔料そのものの粒子径、又は色材に分散剤等の添加物が付着している場合には、添加物が付着した粒子径をいう。本発明において、顔料の体積平均粒子径の測定装置には、ナノトラックＵＰＡ粒度分析計（ＵＰＡ−ＥＸ１５０；日機装社製）を用いた。その測定は、顔料分散体３ｍｌを測定セルに入れ、所定の測定方法に従って行った。尚、即提示に入力するパラメーターとしては、粘度にはインク粘度を、分散粒子の密度には顔料の密度を用いた。
【０２８２】
より好ましい体積平均粒子径は、２０ｎｍ以上２５０ｎｍ以下であり、更に好ましくは３０ｎｍ以上２３０ｎｍ以下である。顔料分散物中の粒子の数平均粒子径が１０ｎｍ未満である場合には、保存安定性が確保できない場合が存在し、一方、２５０ｎｍを超える場合には、光学濃度が低くなる場合が存在する。
【０２８３】
本発明の顔料分散物に含まれる顔料の濃度は、１〜３５質量％の範囲であることが好ましく、２〜２５質量％の範囲であることがより好ましい。濃度が１質量％に満たないと、インクとして顔料分散物を単独で用いるときに十分な画像濃度が得られない場合がある。濃度が３５質量％を超えると、分散安定性が低下する場合がある。
【０２８４】
本発明の顔料分散物は、上記のアゾ顔料及び水系または非水系の媒体とを、分散装置を用いて分散することで得られる。分散装置としては、簡単なスターラーやインペラー攪拌方式、インライン攪拌方式、ミル方式（例えば、コロイドミル、ボールミル、サンドミル、ビーズミル、アトライター、ロールミル、ジェットミル、ペイントシェイカー、アジテーターミル等）、超音波方式、高圧乳化分散方式（高圧ホモジナイザー；具体的な市販装置としてはゴーリンホモジナイザー、マイクロフルイダイザー、ＤｅＢＥＥ２０００等）を使用することができる。
【０２８５】
本発明のアゾ顔料の用途としては、画像、特にカラー画像を形成するための画像記録材料が挙げられ、具体的には、以下に詳述するインクジェット方式記録材料を始めとして、感熱記録材料、感圧記録材料、電子写真方式を用いる記録材料、転写式ハロゲン化銀感光材料、印刷インク、記録ペン等があり、好ましくはインクジェット方式記録材料、感熱記録材料、電子写真方式を用いる記録材料であり、更に好ましくはインクジェット方式記録材料である。
【０２８６】
また、ＣＣＤなどの固体撮像素子やＬＣＤ、ＰＤＰ等のディスプレーで用いられるカラー画像を記録・再現するためのカラーフィルター、各種繊維の染色の為の染色液にも適用できる。
【０２８７】
本発明のモノアゾ顔料は、その用途に適した耐溶溶剤性、分散性、熱移動性などの物性を、置換基で調整して使用する。また、本発明のモノアゾ顔料は、用いられる系に応じて乳化分散状態、さらには固体分散状態でも使用する事が出来る。
【０２８８】
〔着色組成物〕
本発明の着色組成物は、少なくとも一種の本発明のアゾ顔料を含有する着色組成物を意味する。本発明の着色組成物は、媒体を含有させることができるが、媒体として溶媒を用いた場合は特にインクジェット記録用インクとして好適である。本発明の着色組成物は、媒体として、親油性媒体や水性媒体を用いて、それらの中に、本発明のアゾ顔料を分散させることによって作製することができる。好ましくは、水性媒体を用いる場合である。本発明の着色組成物には、媒体を除いたインク用組成物も含まれる。本発明の着色組成物は、必要に応じてその他の添加剤を、本発明の効果を害しない範囲内において含有しうる。その他の添加剤としては、例えば、乾燥防止剤（湿潤剤）、褪色防止剤、乳化安定剤、浸透促進剤、紫外線吸収剤、防腐剤、防黴剤、ｐＨ調整剤、表面張力調整剤、消泡剤、粘度調整剤、分散剤、分散安定剤、防錆剤、キレート剤等の公知の添加剤（特開２００３−３０６６２３号公報に記載）が挙げられる。これらの各種添加剤は、水溶性インクの場合にはインク液に直接添加する。油溶性インクの場合には、アゾ顔料分散物の調製後分散物に添加するのが一般的であるが、調製時に油相又は水相に添加してもよい。
【０２８９】
〔インク〕
次に、本発明のインクについて説明する。
本発明のインクは、上記で説明した本発明の顔料分散物を含み、好ましくは水溶性溶媒、水等を混合して調製される。ただし、特に問題がない場合は、前記本発明の顔料分散物をそのまま用いてもよい。
本発明のインクは本発明の顔料分散物を含み、インクジェット記録用インクとして用いることもできる。
【０２９０】
また、本発明の顔料を含有する着色組成物はインクジェット記録用インクとして好ましく用いることができる。
【０２９１】
本発明のインクは、上記で説明した顔料分散物を用いる。好ましくは、水溶性溶媒、水等を混合して調製される。ただし、特に問題がない場合は、前記本発明の顔料分散物をそのまま用いてもよい。
【０２９２】
〔インクジェット記録用インク〕
次に、本発明のインクジェット記録用インクについて説明する。
【０２９３】
本発明のインクジェット記録用インク（以下、「インク」という場合がある）は、上記で説明した顔料分散物を用いる。好ましくは、水溶性溶媒、水等を混合して調製される。ただし、特に問題がない場合は、前記本発明の顔料分散物をそのまま用いてもよい。
【０２９４】
本発明のインク中の顔料分散物の含有割合は、記録媒体上に形成した画像の色相、色濃度、彩度、透明性等を考慮すると、１〜１００質量％の範囲が好ましく、３〜２０質量％の範囲が特に好ましく、その中でも３〜１０質量％の範囲がもっとも好ましい。
【０２９５】
本発明のインク１００質量部中に、本発明のアゾ顔料を０．１質量部以上２０質量部以下含有するのが好ましく、０．２質量部以上１０質量部以下含有するのがより好ましく、１〜１０質量部含有するのがさらに好ましい。また、本発明のインクには、本発明のアゾ顔料とともに、他の顔料を併用してもよい。２種類以上の顔料を併用する場合は、顔料の含有量の合計が前記範囲となっているのが好ましい。
【０２９６】
本発明のインクは、単色の画像形成のみならず、フルカラーの画像形成に用いることができる。フルカラー画像を形成するために、マゼンタ色調インク、シアン色調インク、及びイエロー色調インクを用いることができ、また、色調を整えるために、更にブラック色調インクを用いてもよい。
【０２９７】
さらに、本発明におけるインクは、上記本発明におけるアゾ顔料の他に別の顔料を同時に用いることが出来る。適用できるイエロー顔料としては、例えば、Ｃ．Ｉ．Ｐ．Ｙ．−７４、Ｃ．Ｉ．Ｐ．Ｙ．−１２８、Ｃ．Ｉ．Ｐ．Ｙ．−１５５、Ｃ．Ｉ．Ｐ．Ｙ．−２１３が挙げられ、適用できるマゼンタ顔料としては、Ｃ．Ｉ．Ｐ．Ｖ．−１９、Ｃ．Ｉ．Ｐ．Ｒ．−１２２が挙げられ、適用できるシアン顔料としては、Ｃ．Ｉ．Ｐ．Ｂ．−１５：３、Ｃ．Ｉ．Ｐ．Ｂ．−１５：４が挙げられ、これらとは別に、各々任意のものを使用する事が出来る。適用できる黒色材としては、ジスアゾ、トリスアゾ、テトラアゾ顔料のほか、カーボンブラックの分散体を挙げることができる。
【０２９８】
本発明のインクジェット記録用インクに用いられる水溶性溶媒としては、多価アルコール類、多価アルコール類誘導体、含窒素溶媒、アルコール類、含硫黄溶媒等が使用される。
具体例としては、多価アルコール類では、エチレングリコール、ジエチレングリコール、プロピレングリコール、ブチレングリコール、トリエチレングリコール、１、５−ペンタンジオール、１，２，６−ヘキサントリオール、グリセリン等が挙げられる。
【０２９９】
前記多価アルコール類誘導体としては、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノブチルエーテル、ジプロピレングリコールモノブチルエーテル、ジグリセリンのエチレンオキサイド付加物等が挙げられる。
【０３００】
また、前記含窒素溶媒としては、ピロリドン、Ｎ−メチル−２−ピロリドン、シクロヘキシルピロリドン、トリエタノールアミン等が、アルコール類としてはエタノール、イソプロピルアルコール、ブチルアルコール、ベンジルアルコール等のアルコール類が、含硫黄溶媒としては、チオジエタノール、チオジグリセロール、スルフォラン、ジメチルスルホキシド等が各々挙げられる。その他、炭酸プロピレン、炭酸エチレン等を用いることもできる。
【０３０１】
本発明に使用される水溶性溶媒は、単独で使用しても、２種類以上混合して使用しても構わない。水溶性溶媒の含有量としては、インク全体の１質量％以上６０質量％以下、好ましくは、５質量％以上４０質量％以下で使用される。インク中の水溶性溶媒量が１質量％よりも少ない場合には、十分な光学濃度が得られない場合が存在し、逆に、６０質量％よりも多い場合には、液体の粘度が大きくなり、インク液体の噴射特性が不安定になる場合が存在する。
【０３０２】
本発明のインクジェット記録用インクの好ましい物性は以下の通りである。
インクの表面張力は、２０ｍＮ／ｍ以上６０ｍＮ／ｍ以下であることが好ましい。より好ましくは、２０ｍＮ以上４５ｍＮ／ｍ以下であり、更に好ましくは、２５ｍＮ／ｍ以上３５ｍＮ／ｍ以下である。表面張力が２０ｍＮ／ｍ未満となると記録ヘッドのノズル面に液体が溢れ出し、正常に印字できない場合がある。一方、６０ｍＮ／ｍを超えると、印字後の記録媒体への浸透性が遅くなり、乾燥時間が遅くなる場合がある。
なお、上記表面張力は、前記同様ウイルヘルミー型表面張力計を用いて、２３℃、５５％ＲＨの環境下で測定した。
【０３０３】
インクの粘度は、１．２ｍＰａ・ｓ以上８．０ｍＰａ・ｓ以下であることが好ましく、より好ましくは１．５ｍＰａ・ｓ以上６．０ｍＰａ・ｓ未満、更に好ましくは１．８ｍＰａ・ｓ以上４．５ｍＰａ・ｓ未満である。粘度が８．０ｍＰａ・ｓより大きい場合には、吐出性が低下する場合がある。一方、１．２ｍＰａ・ｓより小さい場合には、長期噴射性が悪化する場合がある。
なお、上記粘度（後述するものを含む）の測定は、回転粘度計レオマット１１５（Ｃｏｎｔｒａｖｅｓ社製）を用い、２３℃でせん断速度を１４００ｓ-1として行った。
【０３０４】
インクには、前記各成分に加えて、上記の好ましい表面張力及び粘度となる範囲で、水が添加される。水の添加量は特に制限は無いが、好ましくは、インク全体に対して、１０質量％以上９９質量％以下であり、より好ましくは、３０質量％以上８０質量％以下である。
【０３０５】
さらに必要に応じて、吐出性改善等の特性制御を目的とし、ポリエチレンイミン、ポリアミン類、ポリビニルピロリドン、ポリエチレングリコール、エチルセルロース、カルボキシメチルセルロース等のセルロース誘導体、多糖類及びその誘導体、その他水溶性ポリマー、アクリル系ポリマーエマルション、ポリウレタン系エマルション、親水性ラテックス等のポリマーエマルション、親水性ポリマーゲル、シクロデキストリン、大環状アミン類、デンドリマー、クラウンエーテル類、尿素及びその誘導体、アセトアミド、シリコーン系界面活性剤、フッ素系界面活性剤等を用いることができる。
【０３０６】
また、導電率、ｐＨを調整するため、水酸化カリウム、水酸化ナトリウム、水酸化リチウム等のアルカリ金属類の化合物、水酸化アンモニウム、トリエタノールアミン、ジエタノールアミン、エタノールアミン、２−アミノ−２−メチル−１−プロパノール等の含窒素化合物、水酸化カルシウム等のアルカリ土類金属類の化合物、硫酸、塩酸、硝酸等の酸、硫酸アンモニウム等の強酸と弱アルカリの塩等を使用することができる。
その他必要に応じ、ｐＨ緩衝剤、酸化防止剤、防カビ剤、粘度調整剤、導電剤、紫外線吸収剤、等も添加することができる。
【０３０７】
〔インクジェット記録方法、インクジェット記録装置及びインクジェット記録用インクタンク〕
本発明のインクジェット記録方法は、本発明のインクジェット記録用インクを用い、記録信号に応じて記録ヘッドから記録媒体表面にインクを吐出して、記録媒体表面に画像を形成する方法である。
また、本発明のインクジェット記録装置は、本発明のインクジェット記録用インクを用い、インク（必要により処理液）を記録媒体表面に吐出する記録ヘッドを備え、記録媒体表面に前記インクを記録ヘッドから吐出することにより、画像を形成する装置である。なお、本発明のインクジェット記録装置は、記録ヘッドに、インクを供給することができ、かつ、インクジェット記録装置本体に対して脱着可能なインクジェット記録用インクタンク（以下、「インクタンク」と称す場合がある）を備えていてもよい。この場合、このインクジェット記録用インクタンクには、本発明のインクが収納される。
【０３０８】
本発明のインクジェット記録装置としては、本発明のインクジェット記録用インクを用いることが可能な印字方式を備えた通常のインクジェット記録装置が利用でき、この他にも、必要に応じてインクのドライングを制御するためのヒーター等を搭載していたり、中間体転写機構を搭載し、中間体にインク及び処理液を吐出（印字）した後、紙等の記録媒体に転写する機構を備えたものであってもよい。
また、本発明のインクジェット記録用インクタンクは、記録ヘッドを備えたインクジェット記録装置に対して脱着可能であり、インクジェット記録装置に装着した状態で、記録ヘッドにインクを供給できる構成を有するものであれば、従来公知のインクタンクが利用できる。
【０３０９】
本発明のインクジェット記録方法（装置）は、滲み及び色間滲みの改善効果という観点から熱インクジェット記録方式、または、ピエゾインクジェット記録方式を採用することが好ましい。
熱インクジェット記録方式の場合、吐出時にインクが加熱され、低粘度となっているが、記録媒体上でインクの温度が低下するため、粘度が急激に大きくなる。このため、滲み及び色間滲みに改善効果がある。一方、ピエゾインクジェット方式の場合、高粘度の液体を吐出することが可能であり、高粘度の液体は記録媒体上での紙表面方向への広がりを抑制することが可能となるため、滲み、及び、色間滲みに改善効果がある。
【０３１０】
本発明のインクジェット記録方法（装置）において、インクの記録ヘッドへの補給（供給）は、インク液体が満たされたインクタンク（必要により処理液タンクを含む）から行われることがよい。このインクタンクは、装置本体に脱着可能なカートリッジ方式であることがよく、このカートリッジ方式のインクタンクを交換することで、インクの補給が簡易に行われる。
【０３１１】
〔カラートナー〕
本発明のカラートナー１００質量部中の本発明のモノアゾ顔料の含有量は特に制限がないが、０．１質量部以上含有するのが好ましく、１〜２０質量部がより好ましく、２〜１０質量部含有するのが最も好ましい。本発明のモノアゾ顔料を導入するカラートナー用バインダー樹脂としては一般に使用される全てのバインダーが使用出来る。例えば、スチレン系樹脂・アクリル系樹脂・スチレン／アクリル系樹脂・ポリエステル樹脂等が挙げられる。
トナーに対して流動性向上、帯電制御等を目的として無機微粉末、有機微粒子を外部添加しても良い。表面をアルキル基含有のカップリング剤等で処理したシリカ微粒子、チタニア微粒子が好ましく用いられる。なお、これらは数平均一次粒子径が１０〜５００ｎｍのものが好ましく、さらにはトナー中に０．１〜２０質量％添加するのが好ましい。
【０３１２】
離型剤としては、従来使用されている離型剤は全て使用することができる。具体的には、低分子量ポリプロピレン・低分子量ポリエチレン・エチレン−プロピレン共重合体等のオレフィン類、マイクロクリスタリンワックス・カルナウバワックス・サゾールワックス・パラフィンワックス等があげられる。これらの添加量はトナー中に１〜５質量％添加することが好ましい。
【０３１３】
荷電制御剤としては、必要に応じて添加しても良いが、発色性の点から無色のものが好ましい。例えば４級アンモニウム塩構造のもの、カリックスアレン構造を有するものなどがあげられる。
【０３１４】
キャリアとしては、鉄・フェライト等の磁性材料粒子のみで構成される非被覆キャリア、磁性材料粒子表面を樹脂等によって被覆した樹脂被覆キャリアのいずれを使用してもよい。このキャリアの平均粒径は体積平均粒径で３０〜１５０μｍが好ましい。
【０３１５】
本発明のトナーが適用される画像形成方法としては、特に限定されるものではないが、例えば感光体上に繰り返しカラー画像を形成した後に転写を行い画像を形成する方法や、感光体に形成された画像を逐次中間転写体等へ転写し、カラー画像を中間転写体等に形成した後に紙等の画像形成部材へ転写しカラー画像を形成する方法等があげられる。
【０３１６】
〔感熱記録（転写）材料〕
感熱記録材料は、支持体上に本発明のモノアゾ顔料をバインダーとともに塗設したインクシート、及び画像記録信号に従ってサーマルヘッドから加えられた熱エネルギーに対応して移行してきた顔料を固定する受像シートから構成される。インクシートは、本発明のモノアゾ顔料をバインダーと共に溶媒中に微粒子状に分散させることによってインク液を調製し、該インクを支持体上に塗布して適宜に乾燥することにより形成することができる。支持体上のインクの塗布量は特に制限するものではないが、好ましくは３０〜１０００ｍｇ／ｍ２である。好ましいバインダー樹脂、インク溶媒、支持体、更には受像シートについては、特開平７−１３７４６６号に記載されたものを好ましく用いることができる。
【０３１７】
該感熱記録材料をフルカラー画像記録が可能な感熱記録材料に適用するには、シアン画像を形成することができる熱拡散性シアン色素を含有するシアンインクシート、マゼンタ画像を形成することができる熱拡散性マゼンタ色素を含有するマゼンタインクシート、イエロー画像を形成することができる熱拡散性イエロー色素を含有するイエローインクシートを支持体上に順次塗設して形成する事が好ましい。また、必要に応じて他に黒色画像形成物質を含むインクシートがさらに形成されていても良い。
【０３１８】
〔カラーフィルター〕
カラーフィルターの形成方法としては、初めにフォトレジストによりパターンを形成し、次いで染色する方法、或いは特開平４−１６３５５２号、特開平４−１２８７０３号、特開平４−１７５７５３号公報で開示されているように色素を添加したフォトレジストによりパターンを形成する方法がある。本発明の色素をカラーフィルターに導入する場合に用いられる方法としては、これらのいずれの方法を用いても良いが、好ましい方法としては、特開平４−１７５７５３号や特開平６-３５１８２号に記載されたところの、熱硬化性樹脂、キノンジアジド化合物、架橋剤、色素及び溶剤を含有してなるポジ型レジスト組成物、並びに、それを基体上に塗布後、マスクを通して露光し、該露光部を現像してポジ型レジストパターンを形成させ、上記ポジ型レジストパターンを全面露光し、次いで露光後のポジ型レジストパターンを硬化させることからなるカラーフィルターの形成方法を挙げる事ができる。又、常法に従いブラックマトリックスを形成させ、ＲＧＢ原色系あるいはＹ、Ｍ、Ｃ補色系カラーフィルターを得ることができる。カラーフィルターの場合も本発明のモノアゾ顔料の使用量の制限はないが０．１〜５０質量％が好ましい。
【０３１９】
この際使用する熱硬化性樹脂、キノンジアジド化合物、架橋剤、及び溶剤とそれらの使
用量については、前記特許文献に記載されているものを好ましく使用することができる。
【実施例】
【０３２０】
以下、本発明を実施例に基づきさらに詳細に説明するが、本発明はこれらの実施例に何ら限定されるものではない。
【０３２１】
[合成例１]  例示アゾ顔料（Ｐｉｇ−１）の合成
本発明のアゾ顔料（例示アゾ顔料：Ｐｉｇ−１）は、例えば下記合成ル−トから誘導することができる。
【０３２２】
【化３２】
0005205103.tif 000035
【０３２３】
（１）化合物ｂの合成：化合物（a）７．５ｇと濃塩酸(和光純薬製)５０ｍLの懸濁液を氷冷下内温−２〜０℃に保ち、水１８ｍLに亜硝酸ナトリウム（和光純薬製）３．６ｇを溶かした水溶液を滴下して同温度で１時間撹拌し、ジアゾニウム塩溶液を得た。次に、２８．２ｇの塩化すず・二水和物（和光純薬製）を濃塩酸５０ｍLに懸濁し、この中に上記調整したジアゾニウム塩溶液を内温３℃以下で滴下した。同温度で０．５時間反応させた後、氷浴をはずし室温まで上昇させ更に２．０時間反応させた。その後室温で５０ｍLの飽和食塩水を加え濾過し、さらに内温５℃に冷却した水５０ｍLで洗浄し白色結晶を得た。この結晶にメタノール５０ｍLを加え内温６０℃で１時間還流し同温度で濾過をした。得られた結晶を室温で８時間乾燥し５．７ｇの化合物（ｂ）を得た。
１Ｈ-ＮＭＲ（ＤＭＳＯ-ｄ６），δ値ＴＭＳ基準：６．６２〜６.６８（１Ｈ，ｍ），６．７０〜６．７５（１Ｈ，ｄ），６.８２〜６．８８（１Ｈ，ｄ），９．９０〜１０．９８（３Ｈ，ｂｒｓ），１０．４２〜１０．４８（１Ｈ，ｓ）,１０．５０〜１０．５７（１Ｈ，ｓ））
【０３２４】
（２）化合物Ｃｐ−１の合成：化合物（ｂ）５．１ｇとエタノール７５ｍLの懸濁液に、室温で２.３ｇのアミノクロトンニトリル（和光純薬製）を分割添加し、引き続き内温を６５℃まで昇温し同温度で５．０時間還流した。その後室温まで放冷し内容物を水２００ｍLの中へ注ぎ、析出した結晶を濾別しメタノール２０ｍＬで洗浄した。更に得られた結晶を酢酸エチル２０ｍＬに加え内温５℃で３０分撹拌し同温度で濾過をした。得られた結晶を６０℃で３時間乾燥し、１．４ｇの化合物（Cp−１）を得た。
１Ｈ-ＮＭＲ（ＤＭＳＯ-ｄ６），δ値ＴＭＳ基準：２．０２〜２.０４（３Ｈ，ｓ），５．０５〜５．１２（２Ｈ，ｂｒｓ），５.２０〜５．２３（１Ｈ，ｓ），６．９０〜７．００（１Ｈ，ｄ）, ７．０３〜７．１２（２Ｈ，ｍ） ,  １０．６５〜１０．７３（２Ｈ，ｄ））
【０３２５】
（３）化合物Ｄ−１の合成：
化合物（Ｂ−１）（和光純薬製）５ｇと２５ｍＬのエタノール懸濁液に、室温で５．９ｇのエトキシメチレンマロノニトリル（ＡＬＤＲＩＣＨ製）を分割添加し、引き続き内温を６０℃まで昇温し、３．０時間還流し室温まで冷却後ろ過、１００ｍＬのイソプロピルアルコールで洗浄し、得られた結晶を室温で８時間乾燥し、７．１ｇの化合物（Ｄ−２）を得た。１Ｈ-ＮＭＲ（ＤＭＳＯ-ｄ６），δ値ＴＭＳ基準：７．３２〜７.４０（１Ｈ，ｍ），７．８０〜７．９０（２Ｈ，ｍ），７.９８〜８．０８（１Ｈ，ｔ），８．０７〜８．１８（２Ｈ，ｂｒｓ），８．４５〜８．５３（１Ｈ，ｔ））
【０３２６】
（４）Ｐｉｇ．−１の合成：
０．６ｇの（Ｄ−１）を室温下、７ｍＬのリン酸に加えた後、内温５０℃まで加温して溶解した。この溶液を氷冷下内温-２〜０℃に保ち、亜硝酸ナトリウム０．２４ｇを分割添加して同温度で１時間攪拌し、ジアゾニウム塩溶液を得た。次に、０．６ｇの（Ｃｐ−１）をメタノール２０ｍＬに懸濁し、この中に上記調整したのジアゾニウム塩溶液を内温３℃以下で滴下した。同温度で２時間攪拌した後、水５０ｍLの中へ注ぎ析出した結晶を濾別した。引き続き得られた結晶を乾燥せずにメタノール１０ｍL・水１０ｍLに加え、内温を６０℃で１時間還流し同温度で濾過をした。更にメタノール１０ｍLで洗浄し、得られた結晶を６０℃で３時間乾燥し本発明の具体例（Ｐｉｇ．−１）０．７ｇを得た。
【０３２７】
[合成例２]  例示アゾ顔料（Ｐｉｇ−２）の合成
本発明のアゾ顔料（例示アゾ顔料：Ｐｉｇ−２）は、例えば下記合成ル−トから誘導することができる。
【０３２８】
【化３３】
0005205103.tif 000036
【０３２９】
（１）化合物Ｃｐ−２の合成：上記合成例１の方法で別途得た化合物（ｂ）３．０ｇと水６０ｍｌの懸濁液に、室温で２．１ｇのピバロイルアセトニトリル（和光純薬製）を分割添加し、引き続き内温５０℃まで昇温し同温度で６．０時間撹拌した。その後室温まで放冷し１規定の水酸化カリウム水溶液を加えｐHを６に調整し内容物を濾過し水３０ｍｌ・メタノール２０ｍLで洗浄した。更に得られた結晶を酢酸エチル１００ｍＬに溶解させ濾過をした。濾液を濃縮し得られた結晶を６０℃で３時間乾燥し、２．９ｇの化合物（Cｐ−２）を得た。
１Ｈ-ＮＭＲ（ＤＭＳＯ-ｄ６），δ値ＴＭＳ基準：２.１８〜２.２２（９Ｈ，ｓ），５．０５〜５．１０（２Ｈ，ｓ），５．３２〜５．３４（１Ｈ，ｓ），６．９０〜６．９８（１Ｈ，ｄ）, ７．０５〜８．１０（２Ｈ，ｄ） ,  １０．６２〜１０．７２（２Ｈ，ｂｒｓ））
【０３３０】
（２）Ｐｉｇ．−２の合成：
１．０ｇの（Ｄ−１）を室温下、１２ｍＬのリン酸に加えた後、内温５０℃まで加温して溶解した。この溶液を氷冷下内温−２〜０℃に保ち、亜硝酸ナトリウム０．４ｇを分割添加して同温度で１時間攪拌し、ジアゾニウム塩溶液を得た。次に、１．３ｇの（Ｃｐ−２）をメタノール２６ｍＬに懸濁し、この中に上記調整したのジアゾニウム塩溶液を内温３℃以下で滴下した。同温度で２．０時間攪拌した後、水８０ｍLの中へ注ぎ生成した結晶を濾別した。引き続き得られた結晶を乾燥せずにメタノール４０ｍＬ・水２０ｍＬに加え、内温を６０℃で１時間還流し同温度で濾過をした。更にメタノール２０ｍＬで洗浄し、得られた結晶を６０℃で３時間乾燥し、本発明の具体例（Ｐｉｇ．−２）１．３ｇを得た。
【０３３１】
[合成例３]  例示アゾ顔料（Ｐｉｇ−３）の合成
本発明のアゾ顔料（例示アゾ顔料：Ｐｉｇ−３）は、例えば下記合成ル−トから誘導することができる。
【０３３２】
【化３４】
0005205103.tif 000037
【０３３３】
（１）化合物（Ｂ−２）の合成：
ヒドラジン・一水和物（和光純薬製）２６．２ｇとメタノール３０ｍＬの溶液を内温１０℃に調整し、化合物（Ａ）（和光純薬製）１５ｇを分割添加し同温度で０．５時間撹拌した。その後内温を４０℃に昇温した後１．０時間撹拌した。引き続き室温まで放冷し水３０ｍＬを加えた後にろ過をし、水・イソプロピルアルコール各３０ｍＬで洗浄した。得られた結晶を室温で８時間乾燥し、１２．４ｇの化合物（Ｂ−２）を得た。１Ｈ-ＮＭＲ（ＤＭＳＯ-ｄ６），δ値ＴＭＳ基準４．０８〜４．２０（２Ｈ，ｂｒｓ），６．５５〜６．７２（２Ｈ，ｄ），８．１０〜８．１５（１Ｈ，ｓ），８．２７〜８．３５（２Ｈ，ｄ））
【０３３４】
（２）化合物（Ｄ−２）の合成：
化合物（Ｂ−２）１５.０ｇと９０ｍＬのエタノール懸濁液に、室温で１７．５ｇのエトキシメチレンマロノニトリル（ＡＬＤＲＩＣＨ製）を分割添加し、引き続き内温を６０℃まで昇温した後、３．０時間還流し、その後室温まで冷却しろ過した。引き続き、４０ｍＬのエタノールで洗浄し、得られた結晶を６０℃で３時間乾燥し、２１．９ｇの化合物（Ｄ−２）を得た。１Ｈ-ＮＭＲ（ＤＭＳＯ-ｄ６），δ値ＴＭＳ基準：７．４７〜７．５５（１Ｈ，ｔ），７．９５〜７.９８（１Ｈ，ｓ），８．０３〜８．１３（２Ｈ，ｂｒｓ），８．８５〜８．９２（２Ｈ，ｄ））
【０３３５】
（３）Ｐｉｇ．−３の合成：
０．６ｇの（Ｄ−２）を室温下、７ｍＬのリン酸に加えた後、内温５０℃まで加温して溶解した。この溶液を氷冷下内温−２〜０℃に保ち、亜硝酸ナトリウム０．２４ｇを分割添加して同温度で１時間攪拌し、ジアゾニウム塩溶液を得た。次に、上記合成例１の方法で別途得た化合物（Ｃｐ−１）０．６ｇをメタノール２０ｍＬに懸濁し、この中に上記調整したのジアゾニウム塩溶液を内温３℃以下で滴下した。同温度で２時間攪拌した後、水５０ｍLの中へ注ぎ生成した結晶を濾別した。引き続き得られた結晶を乾燥せずにメタノール１０ｍＬ・水１０ｍＬに加え、内温を６０℃で１時間還流し同温度で濾過をした。更にメタノール１０ｍＬで洗浄し、得られた結晶を６０℃で３時間乾燥し、本発明の具体例（Ｐｉｇ．−３）を０．４ｇ得た。
【０３３６】
[合成例４]  例示アゾ顔料（Ｐｉｇ−４）の合成
本発明のアゾ顔料（例示アゾ顔料：Ｐｉｇ−４）は、例えば下記合成ル−トから誘導することができる。
【０３３７】
【化３５】
0005205103.tif 000038
【０３３８】
（１）Ｐｉｇ．−４の合成：
１．０ｇの（Ｄ−２）を室温下、１２ｍＬのリン酸に加えた後、内温５０℃まで加温して溶解した。この溶液を氷冷下内温−３〜０℃に保ち、亜硝酸ナトリウム０．４ｇを分割添加して同温度で１時間攪拌し、ジアゾニウム塩溶液を得た。次に、上記合成例２の方法で別途得た化合物（Ｃｐ−２）１．３ｇをメタノール２６ｍＬに懸濁し、この中に上記調整したのジアゾニウム塩溶液を内温３℃以下で滴下した。同温度で１．５時間攪拌した後、水８０ｍLの中へ注ぎ生成した結晶を濾別した。引き続き得られた結晶を乾燥せずにメタノール４０ｍＬ・水２０ｍＬに加え、内温を６０℃で１時間還流し同温度で濾過をした。メタノール２０ｍＬで洗浄し得られた結晶を６０℃で３時間乾燥し、本発明の具体例（Ｐｉｇ．−４）を１．４ｇ得た。
【０３３９】
以下、本発明を実施例に基づきさらに詳細に説明するが、本発明はこれらの実施例に何ら限定されるものではない。なお、実施例中、「部」とは質量部を表す。
【０３４０】
[実施例１]
合成例１で合成したアゾ顔料（Ｐｉｇ−１）２．５部、オレイン酸ナトリウム０．５部、グリセリン５部、水４２部を混合し、直径０．１ｍｍのジルコニアビーズ１００部とともに遊星型ボールミルを用いて毎分３００回転、６時間分散を行った。分散終了後、ジルコニアビーズを分離し、黄色の顔料分散物１を得た。
【０３４１】
[実施例２]
合成例１で合成した顔料（Ｐｉｇ−１）５部、高分子分散剤として、国際公開番号ＷＯ２００６／０６４１９３の２２ページに記載されているＤｉｓｐｅｒｓａｎｔ  Ｓｏｌｕｔｉｏｎ  １０で表されるメタクリル酸−メタクリル酸エステル共重合体水溶液２５．５部、水１９．５部を混合し、直径０．１ｍｍのジルコニアビーズ１００部とともに遊星型ボールミルを用いて毎分３００回転で６時間分散を行った。分散終了後、ジルコニアビーズを分離し、黄色の顔料分散物２を得た。
【０３４２】
［実施例３］
実施例１で用いた顔料（Ｐｉｇ−１）に変えて、本発明の具体的化合物例（Ｐｉｇ−２）を用いた以外は実施例１と同様にして黄色の顔料分散物３を得た。
【０３４３】
［実施例４］
実施例１で用いた顔料（Ｐｉｇ−１）に変えて本発明の具体的化合物例（Ｐｉｇ−３）を用いた以外は実施例１と同様にして黄色の顔料分散物４を得た。
【０３４４】
［実施例５］
実施例１で用いた顔料（Ｐｉｇ−１）に変えて本発明の具体的化合物例（Ｐｉｇ−４）を用いた以外は実施例１と同様にして黄色の顔料分散物５を得た。
【０３４５】
［比較例１］
実施例１で用いた顔料（Ｐｉｇ−１）に変えてＣ．Ｉ．ピグメント・イエロー１２８（チバスペシャリティ社製ＣＲＯＭＯＰＨＴＡＬ  ＹＥＬＬＯＷ  ８ＧＮ）を用いた以外は実施例１と同  様にして黄色の比較顔料分散物１を得た。
【０３４６】
［比較例２］
実施例１で用いた顔料（Ｐｉｇ−１）に変えてＣ．Ｉ．ピグメント・イエロー７４（チバスペシャリティ社製Ｉｒａｌｉｔｅ  ＹＥＬＬＯＷ  ＧＯ）を用いた以外は実施例１と同様にして黄色の比較顔料分散物２を得た。
【０３４７】
［比較例３］
実施例１で用いた顔料（Ｐｉｇ−１）に変えてＣ．Ｉ．ピグメント・イエロー１５５（クラリアント社製ＩＮＫＪＥＴ  ＹＥＬＬＯＷ  ４Ｇ  ＶＰ２５３２）を用いた以外は実施例１と同様にして黄色の比較顔料分散物３を得た。
【０３４８】
＜着色力評価＞
上記実施例および比較例で得られた顔料分散物をＮｏ．３のバーコーターを用いてセイコーエプソン（株）社製フォトマット紙＜顔料専用＞に塗布した。得られた塗布物の画像濃度を反射濃度計（Ｘ−Ｒｉｔｅ社製Ｘ−Ｒｉｔｅ９３８）を用いて測定し、「着色力（ＯＤ：OpticalDensity）」として結果を表１に示した。
【０３４９】
＜色相評価＞
色相については、上記で得られた塗布物の色度を目視にて赤味が少なく鮮やかさが大きいものを○（良好）、どちらか一方が当てはまらないものを△、及びどちらも当てはまらないものを×（不良）として評価を行った。
結果を表１に示す。
【０３５０】
＜耐光性評価＞
色相評価に用いた画像濃度１．０の塗布物をフェードメーターを用いてキセノン光（１７００００ｌｕｘ；３２５ｎｍ以下カットフィルター存在下）を１４日間照射し、キセノン照射前後の画像濃度を反射濃度計を用いて測定し、色素残存率［（照射後濃度／照射前濃度）×１００％］として顔料分散物１〜５及び比較顔料分散物１〜３を評価した。結果を表１に示す。
【０３５１】
【表１】
0005205103.tif 000039
【０３５２】
したがって、本発明の顔料を用いた顔料分散物は、例えば、インクジェットなどの印刷用のインク、電子写真用のカラートナー、ＬＣＤ、ＰＤＰなどのディスプレーやＣＣＤなどの撮像素子で用いられるカラーフィルター、塗料、着色プラスチック等に好適に使用することができる。
【図面の簡単な説明】
【０３５３】
【図１】合成例１に従って合成されたアゾ顔料１の赤外吸収スペクトルの図である。
【図２】合成例２に従って合成されたアゾ顔料２の赤外吸収スペクトルの図である。
【図３】合成例３に従って合成されたアゾ顔料３の赤外吸収スペクトルの図である。
【図４】合成例４に従って合成されたアゾ顔料４の赤外吸収スペクトルの図である。
【図１】
0005205103.tif 000042
【図２】
0005205103.tif 000043
【図３】
0005205103.tif 000044
【図４】
0005205103.tif 000045